(57)【要約】      （修正有）【課題】デバイス・ユーザが様々な呼出サービスを利用すると、デバイス・ユーザに広告を提示するように動作する方法を提供する。【解決手段】ネットワーク・ノードの広告ミキサ・システムは、通信デバイスの発呼及び呼出サービスを検出すると５０２、発呼に伴う広告を決定し、その広告を生成する５０４。生成された広告と、通信デバイスに提供されるべき呼出サービスとを混合し５０６、混合した広告および呼出サービスを通信デバイスに送信する５０８。【選択図】図５
2015156695.tif 000002
【特許請求の範囲】
【請求項１】
通信ネットワークにおいて広告を提供するためにネットワーク・ノードによって動作可能な方法であって、
通信デバイスと関連付けられた広告を決定することと、
前記広告を、前記通信デバイスに提供されるべき呼出サービスと混合することと、
前記広告および前記呼出サービスを前記通信デバイスに送信することとを備える方法。
【請求項２】
前記呼出サービスは、発呼者ＩＤサービス、発呼者呼出音（ＣＲＢＴ）サービス、呼出転送サービス、呼出保留サービス、および、電話会議サービスのうちの少なくとも１つである、請求項１に記載の方法。
【請求項３】
前記広告は、静的広告およびインタラクティブ広告のうちの少なくとも１つである、請求項１に記載の方法。
【請求項４】
前記広告は、テキスト・ファイル、オーディオ・ファイル、アニメーション・ファイル、およびビデオ・ファイルのうちの少なくとも１つである、請求項１に記載の方法。
【請求項５】
前記決定することは、ホーム・ロケーション・レジスタおよび訪問ロケーション・レジスタのうちの少なくとも１つに基づいて前記広告を決定することを備える、請求項１に記載の方法。
【請求項６】
前記決定することは、前記通信デバイスと関連付けられたロケーション・インジケータに基づいて前記広告を決定することを備える、請求項１に記載の方法。
【請求項７】
前記決定することは、前記通信デバイスと関連付けられたユーザ・プロフィールに基づいて前記広告を決定することを備える、請求項１に記載の方法。
【請求項８】
前記決定することは、前記通信デバイスと関連付けられたデバイス・ロケーション、デバイス・コンテキスト、時刻のうちの少なくとも１つに基づいて前記広告を決定することを備える、請求項１に記載の方法。
【請求項９】
前記広告に応答したユーザ入力を受信することをさらに備える、請求項１に記載の方法。
【請求項１０】
前記ユーザ入力に基づいて、少なくとも１つの追加機能を実行することをさらに備え、
前記追加機能は、
新しい広告を提供することと、
前記広告を転送することと、
少なくとも１つの呼出インセンティブを提供することと
を備えるセットから選択される、請求項９に記載の方法。
【請求項１１】
前記少なくとも１つの呼出インセンティブを提供することは、
前記呼出サービスと関連付けられた呼出の持続時間を拡張することと、
前記呼出のコストを減らすことと
を備えるセットから、前記少なくとも１つの呼出インセンティブを選択することを備える、請求項１０に記載の方法。
【請求項１２】
通信ネットワークにおいて広告を提供するための装置であって：
通信デバイスと関連付けられた広告を決定するための手段と、
前記広告を、前記通信デバイスに提供されるべき前記呼出サービスと混合するための手段と、
前記広告および前記呼出サービスを前記通信デバイスに送信するための手段と
を備える装置。
【請求項１３】
前記呼出サービスは、発呼者ＩＤサービス、ＣＲＢＴサービス、呼出転送サービス、呼出保留サービス、および、電話会議サービスのうちの少なくとも１つである、請求項１２に記載の装置。
【請求項１４】
前記広告は、静的広告およびインタラクティブ広告のうちの少なくとも１つである、請求項１２に記載の装置。
【請求項１５】
前記広告は、テキスト・ファイル、オーディオ・ファイル、アニメーション・ファイル、およびビデオ・ファイルのうちの少なくとも１つである、請求項１２に記載の装置。
【請求項１６】
前記決定するための手段は、ホーム・ロケーション・レジスタおよび訪問ロケーション・レジスタのうちの少なくとも１つに基づいて前記広告を決定するための手段を備える、請求項１２に記載の装置。
【請求項１７】
前記決定するための手段は、前記通信デバイスと関連付けられたロケーション・インジケータに基づいて前記広告を決定するための手段を備える請求項１２に記載の装置。
【請求項１８】
前記決定するための手段は、前記通信デバイスと関連付けられたユーザ・プロフィールに基づいて前記広告を決定するための手段を備える、請求項１２に記載の装置。
【請求項１９】
前記決定するための手段は、前記通信デバイスと関連付けられたデバイス・ロケーション、デバイス・コンテキスト、時刻のうちの少なくとも１つに基づいて前記広告を決定するための手段を備える、請求項１２に記載の装置。
【請求項２０】
前記広告に応答したユーザ入力を受信するための手段をさらに備える、請求項１２に記載の装置。
【請求項２１】
前記ユーザ入力に基づいて、少なくとも１つの追加機能を実行するための手段をさらに備え、
前記追加機能は、
新しい広告を提供することと、
前記広告を転送することと、
少なくとも１つの呼出インセンティブを提供することと
を備えるセットから選択される、請求項２０に記載の装置。
【請求項２２】
前記少なくとも１つの呼出インセンティブを提供することは、
前記呼出サービスと関連付けられた呼出の持続時間を拡張することと、
前記呼出のコストを減らすことと
を備えるセットから、前記少なくとも１つの呼出インセンティブを選択することを備える、請求項２１に記載の装置。
【請求項２３】
通信ネットワークにおいて広告を提供するための装置であって：
通信デバイスと関連付けられた広告を決定するように構成されたジェネレータ・モジュールと、
前記広告を、前記通信デバイスに提供されるべき前記呼出サービスと混合するように構成されたミキサ・モジュールと、
前記広告および前記呼出サービスを前記通信デバイスに送信するように構成された送信機とを備える装置。
【請求項２４】
前記呼出サービスは、発呼者ＩＤサービス、ＣＲＢＴサービス、呼出転送サービス、呼出保留サービス、および、電話会議サービスのうちの少なくとも１つである、請求項２３に記載の装置。
【請求項２５】
前記広告は、静的広告およびインタラクティブ広告のうちの少なくとも１つである、請求項２３に記載の装置。
【請求項２６】
前記広告は、テキスト・ファイル、オーディオ・ファイル、アニメーション・ファイル、およびビデオ・ファイルのうちの少なくとも１つである、請求項２３に記載の装置。
【請求項２７】
前記ジェネレータ・モジュールは、ホーム・ロケーション・レジスタおよび訪問ロケーション・レジスタのうちの少なくとも１つに基づいて前記広告を決定するように構成される、請求項２３に記載の装置。
【請求項２８】
前記ジェネレータ・モジュールは、前記通信デバイスと関連付けられたロケーション・インジケータに基づいて前記広告を決定するように構成される、請求項２３に記載の装置。
【請求項２９】
前記ジェネレータ・モジュールは、前記通信デバイスと関連付けられたユーザ・プロフィールに基づいて前記広告を決定するように構成される、請求項２３に記載の装置。
【請求項３０】
前記ジェネレータ・モジュールは、前記通信デバイスと関連付けられたデバイス・ロケーション、デバイス・コンテキスト、時刻のうちの少なくとも１つに基づいて前記広告を決定するように構成される、請求項２３に記載の装置。
【請求項３１】
前記ミキサ・モジュールは、前記広告に応答したユーザ入力を受信するように構成される請求項２３に記載の装置。
【請求項３２】
前記ミキサ・モジュールは、前記ユーザ入力に基づいて、少なくとも１つの追加機能を実行するように構成され、
前記追加機能は、
新しい広告を提供することと、
前記広告を転送することと、
少なくとも１つの呼出インセンティブを提供することと
を備えるセットから選択される、請求項３１に記載の装置。
【請求項３３】
前記ミキサ・モジュールは、
前記呼出サービスと関連付けられた呼出の持続時間を拡張することと、
前記呼出のコストを減らすことと
を備えるセットから、前記少なくとも１つの呼出インセンティブを選択するように構成される、請求項３２に記載の装置。
【請求項３４】
コンピュータ可読媒体を備える、通信ネットワークにおいて広告を提供するためのコンピュータ・プログラム製品であって、前記コンピュータ可読媒体は：
通信デバイスと関連付けられた広告を決定するために実行可能なコードと、
前記広告を、前記通信デバイスに提供されるべき前記呼出サービスと混合することを実行可能なコードと、
前記広告および前記呼出サービスを前記通信デバイスに送信するために実行可能なコードとを備える、コンピュータ・プログラム製品。
【請求項３５】
前記呼出サービスは、発呼者ＩＤサービス、ＣＲＢＴサービス、呼出転送サービス、呼出保留サービス、および、電話会議サービスのうちの少なくとも１つである、請求項３４に記載のコンピュータ・プログラム製品。
【請求項３６】
前記広告は、静的広告およびインタラクティブ広告のうちの少なくとも１つである、請求項３４に記載のコンピュータ・プログラム製品。
【請求項３７】
前記広告は、テキスト・ファイル、オーディオ・ファイル、アニメーション・ファイル、およびビデオ・ファイルのうちの少なくとも１つである、請求項３４に記載のコンピュータ・プログラム製品。
【請求項３８】
前記コードは、ホーム・ロケーション・レジスタおよび訪問ロケーション・レジスタのうちの少なくとも１つに基づいて前記広告を決定するように構成される、請求項３４に記載のコンピュータ・プログラム製品。
【請求項３９】
前記コードは、前記通信デバイスと関連付けられたロケーション・インジケータに基づいて前記広告を決定するように構成される、請求項３４に記載のコンピュータ・プログラム製品。
【請求項４０】
前記コードは、前記通信デバイスと関連付けられたユーザ・プロフィールに基づいて前記広告を決定するように構成される、請求項３４に記載のコンピュータ・プログラム製品。
【請求項４１】
前記コードは、前記通信デバイスと関連付けられたデバイス・ロケーション、デバイス・コンテキスト、時刻のうちの少なくとも１つに基づいて前記広告を決定するように構成される、請求項３４に記載のコンピュータ・プログラム製品。
【請求項４２】
前記コードは、前記広告に応答したユーザ入力を受信するように構成される、請求項３４に記載のコンピュータ・プログラム製品。
【請求項４３】
前記コードは、前記ユーザ入力に基づいて、少なくとも１つの追加機能を実行するように構成され、
前記追加機能は、
新しい広告を提供することと、
前記広告を転送することと、
少なくとも１つの呼出インセンティブを提供することと
を備えるセットから選択される、請求項４２に記載のコンピュータ・プログラム製品。
【請求項４４】
前記コードは、
前記呼出サービスと関連付けられた呼出の持続時間を拡張することと、
前記呼出のコストを減らすことと
を備えるセットから、前記少なくとも１つの呼出インセンティブを選択するように構成され、請求項４３に記載のコンピュータ・プログラム製品。
【請求項４５】
通信ネットワークにおいて広告を提供するために通信デバイスによって動作可能な方法であって、
呼出サービスを受信することと、
前記呼出サービスと関連付けられた広告を獲得することと、
前記広告を前記通信デバイスにレンダリングすることと
を備える方法。
【請求項４６】
前記獲得することは、
前記呼出サービスと混合された前記広告を受信することと、
前記呼出サービスから前記広告を獲得することと
を備える、請求項４５に記載の方法。
【請求項４７】
前記獲得することは、
広告インボックスを保持することと、
１つ以上の広告を広告インボックスに記憶することと、
前記広告インボックス内の前記広告を、前記呼出サービスに基づいて識別することと、
前記広告を、前記広告インボックスから検索することと
を備える、請求項４５に記載の方法。
【請求項４８】
前記呼出サービスは、発呼者ＩＤサービス、ＣＲＢＴサービス、呼出転送サービス、呼出保留サービス、および、電話会議サービスのうちの少なくとも１つである、請求項４５に記載の方法。
【請求項４９】
前記広告は、静的広告およびインタラクティブ広告のうちの少なくとも１つである、請求項４５に記載の方法。
【請求項５０】
前記広告は、テキスト・ファイル、オーディオ・ファイル、アニメーション・ファイル、およびビデオ・ファイルのうちの少なくとも１つである、請求項４５に記載の方法。
【請求項５１】
前記広告を選択するために使用されるべきデバイス・ロケーション情報を送信すること
をさらに備える、請求項４５に記載の方法。
【請求項５２】
前記広告に応答したユーザ入力を受信することをさらに備える、請求項４５に記載の方法。
【請求項５３】
前記ユーザ入力に基づいて少なくとも１つの追加機能を実行することをさらに備え、
前記追加機能は、
新しい広告を要求することと、
前記広告を転送することと、
前記広告を削除することと、
前記広告を記憶することと、
前記広告の条件に同意することと、
前記呼出サービスを無視して、前記広告を受信すること
前記広告を無視して、前記呼出サービスを受信すること
を備えるセットから選択される、請求項５２に記載の方法。
【請求項５４】
前記ユーザ入力に基づいて少なくとも１つの呼出インセンティブを受信することをさらに備え、
前記少なくとも１つの呼出インセンティブは、
前記呼出サービスと関連付けられた呼出の持続時間を拡張することと、
前記呼出のコストを減らすことと
を備えるセットから選択される、請求項５２に記載の方法。
【請求項５５】
通信ネットワークにおいて広告を提供するための装置であって、
呼出サービスを受信するための手段と、
前記呼出サービスと関連付けられた広告を獲得するための手段と、
前記広告をレンダリングするための手段と
を備える装置。
【請求項５６】
前記獲得するための手段は、
前記呼出サービスと混合された前記広告を受信するための手段と、
前記呼出サービスから前記広告を獲得するための手段と
を備える、請求項５５に記載の装置。
【請求項５７】
前記獲得するための手段は、
広告インボックスを保持するための手段と、
１つ以上の広告を広告インボックスに記憶するための手段と、
前記広告インボックス内の前記広告を、前記呼出サービスに基づいて識別するための手段と、
前記広告を、前記広告インボックスから検索するための手段と
を備える、請求項５５に記載の装置。
【請求項５８】
前記呼出サービスは、発呼者ＩＤサービス、ＣＲＢＴサービス、呼出転送サービス、呼出保留サービス、および、電話会議サービスのうちの少なくとも１つである、請求項５５に記載の装置。
【請求項５９】
前記広告は、静的広告およびインタラクティブ広告のうちの少なくとも１つである、請求項５５に記載の装置。
【請求項６０】
前記広告は、テキスト・ファイル、オーディオ・ファイル、アニメーション・ファイル、およびビデオ・ファイルのうちの少なくとも１つである、請求項５５に記載の装置。
【請求項６１】
前記広告を選択するために使用されるべきデバイス・ロケーション情報を送信するための手段をさらに備える、請求項５５に記載の装置。
【請求項６２】
前記広告に応答したユーザ入力を受信するための手段をさらに備える、請求項５５に記載の装置。
【請求項６３】
前記ユーザ入力に基づいて少なくとも１つの追加機能を実行するための手段をさらに備え、
前記追加機能は、
新しい広告を要求することと、
前記広告を転送することと、
前記広告を削除することと、
前記広告を記憶することと、
前記広告の条件に同意することと、
前記呼出サービスを無視して、前記広告を受信すること
前記広告を無視して、前記呼出サービスを受信すること
を備えるセットから選択される、請求項６２に記載の装置。
【請求項６４】
前記ユーザ入力に基づいて少なくとも１つの呼出インセンティブを受信するための手段をさらに備え、
前記少なくとも１つの呼出インセンティブは、
呼出サービスと関連付けられた呼出の持続時間を拡張することと、
前記呼出のコストを減らすことと
を備えるセットから選択される、請求項６２に記載の装置。
【請求項６５】
通信ネットワークにおいて広告を提供するための装置であって、
呼出サービスを受信するように構成された受信機と、
前記呼出サービスと関連付けられた広告を獲得するように構成された処理モジュールと、
前記広告をレンダリングするように構成されたレンダリング・モジュールと
を備える装置。
【請求項６６】
前記処理モジュールは、
前記呼出サービスと混合された広告を受信し、
前記呼出サービスから前記広告を獲得する
ように構成される、請求項６５に記載の装置。
【請求項６７】
前記処理モジュールは、
広告インボックスを保持することと、
１つ以上の広告を広告インボックスに記憶し、
前記広告インボックス内の前記広告を、前記呼出サービスに基づいて識別し、
前記広告を、前記広告インボックスから検索する
ように構成される、請求項６５に記載の装置。
【請求項６８】
前記呼出サービスは、発呼者ＩＤサービス、ＣＲＢＴサービス、呼出転送サービス、呼出保留サービス、および、電話会議サービスのうちの少なくとも１つである、請求項６５に記載の装置。
【請求項６９】
前記広告は、静的広告およびインタラクティブ広告のうちの少なくとも１つである、請求項６５に記載の装置。
【請求項７０】
前記広告は、テキスト・ファイル、オーディオ・ファイル、アニメーション・ファイル、およびビデオ・ファイルのうちの少なくとも１つである、請求項６５に記載の装置。
【請求項７１】
前記広告を選択するために使用されるべきデバイス・ロケーション情報を送信するように構成された送信機をさらに備える、請求項６５に記載の装置。
【請求項７２】
前記処理モジュールは、前記広告に応答したユーザ入力を受信するように構成される、請求項６５に記載の装置。
【請求項７３】
前記処理モジュールは、前記ユーザ入力に基づいて少なくとも１つの追加機能を実行するように構成され、
前記追加機能は、
新しい広告を要求することと、
前記広告を転送することと、
前記広告を削除することと、
前記広告を記憶することと、
前記広告の条件に同意することと、
前記呼出サービスを無視して、前記広告を受信すること
前記広告を無視して、前記呼出サービスを受信すること
を備えるセットから選択される、請求項７２に記載の装置。
【請求項７４】
前記処理モジュールは、前記ユーザ入力に基づいて少なくとも１つの呼出インセンティブを受信するように構成され、
前記少なくとも１つの呼出インセンティブは、
呼出サービスと関連付けられた呼出の持続時間を拡張することと、
前記呼出のコストを減らすことと
を備えるセットから選択される、請求項７２に記載の装置。
【請求項７５】
コンピュータ可読媒体を備える、通信ネットワークにおいて広告を提供するためのコンピュータ・プログラム製品であって、前記コンピュータ可読媒体は：
呼出サービスを受信するために実行可能なコードと、
前記呼出サービスと関連付けられた広告を獲得するために実行可能なコードと、
前記広告をレンダリングするために実行可能なコードと
を備える、コンピュータ・プログラム製品。
【請求項７６】
前記コードは、
前記呼出サービスと混合された前記広告を受信し、
前記呼出サービスから前記広告を獲得する
ように構成される、請求項７５に記載のコンピュータ・プログラム製品。
【請求項７７】
前記コードは、
広告インボックスを保持し、
１つ以上の広告を広告インボックスに記憶し、
前記広告インボックス内の前記広告を、前記呼出サービスに基づいて識別し、
前記広告を、前記広告インボックスから検索する
ように構成される、請求項７５に記載のコンピュータ・プログラム製品。
【請求項７８】
前記呼出サービスは、発呼者ＩＤサービス、ＣＲＢＴサービス、呼出転送サービス、呼出保留サービス、および、電話会議サービスのうちの少なくとも１つである、請求項７５に記載のコンピュータ・プログラム製品。
【請求項７９】
前記広告は、静的広告およびインタラクティブ広告のうちの少なくとも１つである、請求項７５に記載のコンピュータ・プログラム製品。
【請求項８０】
前記広告は、テキスト・ファイル、オーディオ・ファイル、アニメーション・ファイル、およびビデオ・ファイルのうちの少なくとも１つである、請求項７５に記載のコンピュータ・プログラム製品。
【請求項８１】
前記コードは、前記広告を選択するために使用されるべきデバイス・ロケーション情報を送信するように構成される、請求項７５に記載のコンピュータ・プログラム製品。
【請求項８２】
前記コードは、前記広告に応答したユーザ入力を受信するように構成される、請求項７５に記載のコンピュータ・プログラム製品。
【請求項８３】
前記コードは、前記ユーザ入力に基づいて少なくとも１つの追加機能を実行するように構成され、
前記追加機能は、
新しい広告を要求することと、
前記広告を転送することと、
前記広告を削除することと、
前記広告を記憶することと、
前記広告の条件に同意することと、
前記呼出サービスを無視して、前記広告を受信すること
前記広告を無視して、前記呼出サービスを受信すること
を備えるセットから選択される、請求項８２に記載のコンピュータ・プログラム製品。
【請求項８４】
前記コードは、前記ユーザ入力に基づいて少なくとも１つの呼出インセンティブを受信するように構成され、
前記少なくとも１つの呼出インセンティブは、
呼出サービスと関連付けられた呼出の持続時間を拡張することと、
前記呼出のコストを減らすことと
を備えるセットから選択される、請求項８２に記載のコンピュータ・プログラム製品。
【発明の詳細な説明】
【技術分野】
【０００１】
［背景］
［米国特許法１１９条に基づく優先権の主張］
本出願は、本出願の譲受人に譲渡され、参照により本明細書に組み込まれる、２００９月３月２４日に出願された「Mixer For Communication Systems Advertisement」と題する米国仮出願６１／１６２，７７２号の優先権を主張する。
【０００２】
［分野］
本出願は一般に無線通信システムの動作に関し、さらに詳細には、通信システムにおける広告混合のための方法および装置に関する。
【背景技術】
【０００３】
発呼者ＩＤ（Caller Identification）または発呼者呼出音（ＣＲＢＴ；Caller Ring-Back Tones）のような、現在の通信事業者（carrier）およびサービス・プロバイダによって提供されるサービスは、ユーザが、ディスプレイ上で発呼者の携帯番号を見ること、または、電話をかけた際に呼出音を聞くことを可能にする。通信事業者は、一般的に、これらの特徴を、プレミアム・サービス(premium service)として提供し、ユーザに対して追加料金を請求する。発呼者ＩＤの場合、電話は、一般的に、発呼者の識別情報を表示する。ＣＲＢＴの場合、発呼者は、予め選択された呼出音を聞き、通常、それを省くまたは変更するオプションを有さない。これら両方の場合、および、呼出転送、保留、三者会議（three-way conferencing）などの別の類似した呼出サービス（call service）の場合において、これらのサービスは、デバイス・ユーザに、特定のサービスと関連付けられた基本的な情報のみを提供するように動作する。
【０００４】
ネットワーク通信事業者およびサービス・プロバイダは、同じユーザベースからより多くの収益を挙げるために、様々な広告（ＡＤ；advertisement）がデバイス・ユーザに提示されることを可能にするメカニズムを持つことを望むであろう。例えば、広告は、コンテキストベース(context-based)、ロケーションベース（location-based）、さらには、時間ベースの広告でありうる。例えば、ロケーションベースの広告は、デバイス・ユーザの現在の地理的ロケーションと関連付けられ、デバイス・ユーザが、そのローカル領域内で提供される特別なプロモーションを利用することを可能にするために提供されうる。コンテキストベースの広告は、選択された広告が、特定のデバイス・ユーザに向けられるように、デバイス・ユーザの履歴またはプロフィールと関連付けられる。時間ベースの広告は、特定の時刻にデバイス・ユーザによって閲覧されるように設計される。
【０００５】
よって、様々な呼出サービスを利用すると、デバイス・ユーザに、コンテキストベース、ロケーションベース、または時間ベースの広告を提示できるように動作するメカニズムを有することが望まれるであろう。
【発明の概要】
【０００６】
１つ以上の態様の場合、通信ネットワークにおいて、デバイス・ユーザが様々な呼出サービスを利用すると、デバイス・ユーザに広告を提示するように動作する方法および装置を備えるＡＤミキサ・システムが提供される。
【０００７】
ある態様の場合、通信ネットワークにおける広告を提供するためにネットワーク・ノードによって動作可能な方法が提供される。その方法は、通信デバイスと関連付けられた広告を決定することと、その広告を、通信デバイスに提供されるべき呼出サービスと混合することと、広告および呼出サービスを、通信デバイスに送信することとを備える。
【０００８】
ある態様の場合、通信ネットワークにおいて広告を提供するための装置が開示される。その装置は、通信デバイスと関連付けられた広告を決定するための手段と、その広告を、通信デバイスに提供されるべき呼出サービスと混合するための手段と、広告および呼出サービスを、通信デバイスに送信するための手段とを備える。
【０００９】
ある態様の場合、通信ネットワークにおいて広告を提供するための装置が開示される。その装置は、通信デバイスと関連付けられた広告を決定するように構成されたジェネレータ・モジュールと、その広告を、通信デバイスに提供されるべき呼出サービスと混合するように構成されたミキサ・モジュールと、広告および呼出サービスを、通信デバイスに送信するように構成された送信機とを備える。
【００１０】
ある態様の場合、通信ネットワークにおいて広告を提供するためのコンピュータ・プログラム製品が開示される。そのコンピュータ・プログラム製品は、通信デバイスと関連付けられた広告を決定し、その広告を、通信デバイスに提供されるべき呼出サービスと混合し、広告および呼出サービスを通信デバイスに送信するために実行可能なコードを組み込むコンピュータ可読媒体を備える。
【００１１】
ある態様の場合、通信ネットワークにおいて広告を提供するために通信デバイスによって動作可能な方法が提供される。その方法は、呼出サービスを受信することと、その呼出サービスと関連付けられた広告を獲得することと、その広告を通信デバイスにレンダリング(rendering)することとを備える。
【００１２】
ある態様の場合、通信ネットワークにおいて広告を提供するための装置が開示される。その装置は、呼出サービスを受信するための手段と、その呼出サービスと関連付けられた広告を獲得するための手段と、その広告をレンダリングするための手段とを備える。
【００１３】
ある態様の場合、通信ネットワークにおいて広告を提供するための装置が開示される。その装置は、呼出サービスを受信するように構成された受信機と、その呼出サービスと関連付けられた広告を獲得するように構成された処理モジュールと、その広告をレンダリングするように構成されたレンダリング・モジュールとを備える。
【００１４】
ある態様の場合、通信ネットワークにおいて広告を提供するためのコンピュータ・プログラム製品が開示される。そのコンピュータ・プログラム製品は、呼出サービスを受信し、その呼出サービスと関連付けられた広告を獲得し、その広告をレンダリングするために実行可能なコードを組み込むコンピュータ可読媒体を備える。
【００１５】
以下に示される図面の簡単な説明、発明の詳細な説明、特許請求の範囲のレビューの後
に、別の態様が明白になるであろう。
【００１６】
本明細書に記述された前述の態様は、添付図を考慮する際に、次に続く発明の詳細な説明を参照することにより、より容易に明白になるであろう。
【図面の簡単な説明】
【００１７】
【図１】図１は、ＡＤミキサ・システムの態様を示す例示的な通信ネットワークを示す。
【図２】図２は、ＡＤミキサ・システムの態様で使用する例示的なＡＤサーバを示す。
【図３】図３は、ＡＤミキサ・システムの態様で使用する、ＡＤを呼出サービスと混合するための例示的な方法を示す。
【図４】図４は、ＡＤミキサ・システムの態様で使用する、ＡＤを生成するための例示的な方法を示す。
【図５】図５は、ＡＤミキサ・システムの態様で使用する、ＡＤ混合を発呼側サービス（call origination service）に提供するための例示的な方法を示す。
【図６】図６は、ＡＤミキサ・システムの態様で使用する、着呼側サービス（call destination service）にＡＤ混合を提供するための例示的な方法を示す。
【図７】図７は、ＡＤミキサ・システムの態様で使用する、例示的なＡＤ受信機を示す。
【図８】図８は、ＡＤミキサ・システムの態様で使用する、呼出サービスと混合されたＡＤを受信するための例示的な方法を示す。
【図９】図９は、ＡＤミキサ・システムの態様で使用する例示的なＡＤサーバを示す。
【図１０】図１０は、ＡＤミキサ・システムの態様で使用する例示的なＡＤ受信機を示す。
【発明を実施するための形態】
【００１８】
［説明］
次に続く発明の詳細な説明は、通信ネットワークにおいてデバイス・ユーザが様々な呼
出サービスを利用すると、デバイス・ユーザに広告を提示するように動作するＡＤミキサ・システムの態様を記述する。例えば、システムは、広告または任意の別情報を生成し、それを１つ以上のデバイスに提供されるべき呼出サービスと混合するように動作する。広告は、呼出サービスの間にデバイスにレンダリングされるか、あるいは、記憶されて、後にレンダリングされうる。例えば、ＡＤは、イメージ、テキスト、オーディオ、ビデオ、アニメーション、または、あらゆる別タイプのＡＤコンテンツを備える。ＡＤは、静的(static)であるか、あるいは、デバイス・ユーザが広告とインタラクト(interact)して、より多くの情報、追加ＡＤを獲得するか、ＡＤ転送を可能にするか、または、あらゆる別のタイプのサービスまたはＡＤ処理を開始できるようにインタラクティブ(interactive)である。
【００１９】
様々な態様において、ＡＤミキサ・システムは、ロケーション、コンテキスト、および／または、時間ベースの広告を提供するように動作するＡＤサーバおよびＡＤミキサを備える。ある態様において、ＡＤミキサ・システムは、選択された呼出サービスが提供される際に、デバイスのディスプレイ上に、および／または、デバイスのスピーカを通して、異なるタイプのマルチメディアＡＤをレンダリングするように動作する。例えば、呼出の性質およびデバイスの位置に基づいて、選択された地域的ＡＤが、デバイスのディスプレイ上でユーザに提示される。ＣＲＢＴの場合、ＡＤは、オーディオ形式で提供される。ユーザは、発呼者ＩＤの場合に、呼出を受ける人として、または、ＣＲＢＴの場合に、呼出を行う人として定義される。どちらの場合においても、ＡＤミキサ・システムは、対応するホーム・ロケーション・レジスタ（ＨＬＲ；home location register）および訪問ロケーション・レジスタ（ＶＬＲ；visiting location register）のうちの１つから、あるいは、ユーザ・ハンドセット上のＧＰＳデバイスで決定された情報から、ユーザのロケーションを決定する。ロケーションが決定されると、適切なＡＤが、選択され（ランダムに、または、望まれる場合は、ユーザのプロフィールに基づいて）、その後、ユーザに送信されているオーディオ／ビデオストリームに混合されるであろう。その後、ユーザは、ディスプレイ上のソフトボタンまたはハンドセットのキーボード上に配置された様々なキーを通してＡＤとインタラクトするオプションが与えられるであろう。別の態様において、ＡＤは、さらに、ユーザ・プロフィール（すなわち、過去の履歴、習慣、および／またはパターン）に基づき、通信システムの組込みインテリジェンスを用いて選択されうる。この履歴情報のいくつかが、通信事業者のデータベースまたはユーザ・ハンドセットのローカルメモリから検索されうる。
【００２０】
広告は、さらなる財源を、通信事業者またはサービス・プロバイダに提供する。実際に、基本的なサービスは、ユーザに無料で提供されるが、通信事業者に十分なＡＤ収益を生み出すことができる。例えば、ある態様において、プリペイドのユーザは、広告の受信に参加し、および／または、それを選択する代わりに、無料で追加の通話時間を得る。
【００２１】
ＡＤを伴った発呼者ＩＤサービスの場合、ユーザは、呼出に答えるか、呼出に答えずに広告にだけ応答するか、あるいは、何もししないというオプションが与えられるであろう。ＣＲＢＴの場合、発呼者は、被呼者（called party）によって選択された着信音を無視し、代わりとして、いくつかの広告を聞く（割引された通話料金のために）というオプションを有するであろう。これらの広告をユーザに関連性のあるものにするために、ＡＤは、発呼者ＩＤの場合には被呼加入者のロケーションに依存して、ＣＲＢＴの場合には発呼者のロケーションに依存して、コンテキストまたはロケーションベースに作成される（あるいは、時間ベース、例えば、夜関連の製品（night-time product）についてのＡＤは、夕方または夜間にのみ提供されうる）。ＡＤは、さらに、三者通話呼出、複数者間会議呼出（multi-party conference call）、ビデオ電話、呼出保留（call hold）、および、呼出転送(call transfer)のような別の典型的な通信サービスと混合されうる。
【００２２】
ＡＤミキサ・システムは、通信事業者、デバイス・ユーザ、さらには広告主に莫大な利益をもたらす。通信事業者について、実行される各呼出に対して、さらなる財源が存在する（すなわち、広告を通して）。ユーザについて、広告は、通話料金を援助し、ユーザのロケーションまたはコンテキスト（context）に基づいて関連情報をユーザに提供することができる。ＡＤは、さらに、クーポン、コンサートチケット、あるいは、無料の着信音または壁紙を内含しうるＡＤとインタラクトする機会をユーザに提供しうる。ユーザは、さらに、クーポンを保存し、および／または、呼出をそのクーポンと共にユーザの友達に転送することができる。広告主について、より多くの人に製品を宣伝するための機会がより多く提供される。
【００２３】
ある態様において、１つ以上のＡＤが、毎日、毎週、または、毎月、オフピーク期間（例えば、夜間）に、ユーザのハンドセットにプッシュされうる。それから数日以内に、ユーザが、ユーザの日常活動の一部として様々な通信サービスに参加すると、これらのＡＤがユーザに提示されるであろう。
【００２４】
システムは、特に、無線ネットワーク環境での使用に適しているが、通信ネットワーク、インターネットのような公衆ネットワーク、仮想プライベート・ネットワーク（ＶＰＮ）のようなプライベート・ネットワーク、ローカル・エリア・ネットワーク、広域ネットワーク、ロング・ホール・ネットワーク、または、任意の別タイプのネットワークを含むがそれに限定されない、あらゆるタイプのネットワーク環境でも使用されうる。
【００２５】
図１は、ＡＤミキサ・システムの態様を示すネットワーク１００を示す。ネットワーク１００は、ＡＤサーバ１０２、ネットワーク１０４、および、全体的に１０６で示される複数のデバイスを備える。ネットワーク１０４は、サーバ１０２とデバイス１０６との間でデータが送信されることを可能にするあらゆるタイプの有線および無線ネットワークおよび／またはそれらの組み合わせでありうる。このように、ネットワーク１０４の主な機能は、デバイス間の通信を容易にすることである。ＡＤサーバ１０２は、ＡＤサーバ１０２がネットワーク１０４と通信することを可能にするあらゆるタイプの有線および／または無線通信リンクでありうる通信リンク１０８を介して、ネットワーク１０４に結合される。デバイス１０６は、モバイル電話、ＰＤＡ、ネットブック・コンピュータ、ページャ、Ｅメール・デバイス、または、ネットワーク１０４と通信するために動作可能なあらゆる別タイプのデバイスを備える。デバイス１０６は、無線通信リンク１１０を介してネットワーク１０４と通信状態にあり、それは、データ、音声、または別の情報が、ネットワーク１０４とデバイス１０６との間で、無線で送信されることを可能にする。ある態様において、無線通信リンク１１０は、順方向通信チャネル、逆方向通信チャネル、ページング・チャネル、制御チャネル、ブロードキャスト／マルチキャスト・チャネル、および、ネットワーク１０４とデバイス１０６との間で情報を通信するために使用されうるあらゆる別タイプの通信チャネルを備える。
【００２６】
ＡＤミキサ・システムの態様が、有線および／または無線通信リンクを介してネットワーク１０４と通信する実質上あらゆる数のデバイスとの使用に適応することにも注意されたい。
【００２７】
ＡＤサーバ１０２は、ＡＤミキサ１１２およびＡＤジェネレータ１１４を備える。動作中、ＡＤサーバ１０２は、サーバ１０２と通信状態にあるデバイス／ユーザと関連付けられた情報を備えるデバイス／ユーザ情報１１６を受信するか、そうでなければ獲得する。例えば、情報は、デバイス・ロケーション情報、ユーザ・プロフィール、ユーザ履歴、または、別の情報を備える。ある態様において、デバイス情報１１６は、ホーム・ロケーション・レジスタ１３２および訪問ロケーション・レジスタ１３４の一方または両方、あるいは、あらゆる別のネットワーク・エンティティから決定される。情報は、さらに、デバイス１０６から直接的に受信されうる。
【００２８】
ＡＤジェネレータ１１４は、特定のデバイスに送信されるべき１つ以上のＡＤを決定するために、デバイス情報１１６を利用するように動作する。ある態様において、ＡＤジェネレータ１１４は、様々なオーディオおよび／またはビデオＡＤ１１８を受信し、デバイス情報１１６（すなわち、デバイス位置、コンテテキスト、および時間）を使用して、そのデバイスに送信されるべきＡＤを選択する。例えば、ＡＤは、イメージ、テキスト、オーディオ、ビデオ、アニメーション、または、あらゆる別タイプのＡＤコンテンツを備える。選択されたＡＤは、ＡＤミキサ１１２に提示される。
【００２９】
ＡＤミキサ１１２は、生成されたＡＤを、ＡＤサーバ１０２によって提供される呼出サービス１３６と混合するように動作する。例えば、呼出サービスは、発呼者ＩＤ、呼出転送、三者通話、呼出保留などを備えるがそれに限定されない。次に、呼出サービスおよび関連ＡＤは、サービスを要求した特定のデバイス、あるいは、サービスを受信する予定の特定のデバイスに提供される。別の態様において、生成されたＡＤは、オフピーク通信でデバイス１０６に提供され、後のレンダリングのためにデバイス１０６において記憶されうる。
【００３０】
デバイス１０６の動作は、デバイス１２０および１２２に関して記述される。デバイス１２０および１２２は、ネットワーク１０４と通信するように動作する。これらの通信は、呼出関連通信、および、デバイス関連通信を備える。呼出関連通信は、呼出設定、開始、受信、送信、またはあらゆる別の呼出関連通信と関連付けられた通信である。例えば、デバイス１２２は、デバイス１２０への呼出を開始するためにサーバ１０２と通信しうる。
【００３１】
デバイス関連通信は、特定のデバイスの動作と関連付けられた通信である。例えば、デバイス通信は、デバイス動作パラメータ、信号強度、地理的ロケーション・インジケータ(geographic location indicator)、デバイス・モビリティ・インジケータ、あるいは、別のデバイス関連情報を備えるがそれに限定されない。デバイス情報は、さらに、通話履歴のようなユーザ情報、ユーザ・プロフィール情報、または、あらゆる別タイプのユーザ情報を備える。ある態様において、呼出情報およびデバイス情報は、１２４および１２６で示されるように、それぞれ、デバイス１２０および１２２からＡＤサーバ１０２に送信される。
【００３２】
［例示的な呼出処理］
次の記述は、呼出処理に関するＡＤミキサ・システムの態様を示す。例えば、ＡＤミキサ・システムは、デバイス１２２が、デバイス１２０への呼出を行う際に動作する。動作中、デバイス１２０および１２２は、デバイス情報をサーバ１０２に提供する。例えば、デバイス情報は、デバイス・ロケーション、ユーザ・プロフィール情報、または別情報を備える。
【００３３】
デバイス１２２がデバイス１２０への呼出を開始すると、ＡＤサーバ１０２は、デバイス１２０に着信（incoming call）を知らせるプロセスを開始する。ＡＤジェネレータ１１４は、発呼器（call initiator）（デバイス１２２）についての情報を利用して、このイニシエータに送信されるべき１つ以上のＡＤを生成する。ＡＤジェネレータ１１４は、さらに、着呼器（call receiver）（デバイス１２０）についての情報を利用して、この受信機に送信されるべき１つ以上のＡＤを生成する。生成されたＡＤは、デバイス・ロケーション、コンテキスト、または時間に基づいて決定される。
【００３４】
ＡＤミキサ１１２は、着呼器（デバイス１２０）について決定されたＡＤを、そのデバイスに提供されるべき呼出サービスと混合するように動作する。例えば、発呼者ＩＤサービスは、デバイス１２２が呼出を接続しようとしていることをデバイス１２０に知らせるためにデバイス１２０に提供されうる。ＡＤミキサ１２２は、１２８で示されるように、デバイス１２０に送信される発呼者ＩＤ情報に、デバイス１２０についての生成されたＡＤを組み込む。
【００３５】
同様に、ＡＤミキサ１１２は、発呼器（デバイス１２２）について決定されたＡＤを、そのデバイスに提供されるべき呼出サービスと混合するように動作する。例えば、ＣＲＢＴサービスは、呼出が処理中であることをデバイス１２２に知らせために、デバイス１２２に提供されうる。ＡＤミキサ１２２は、１３０で示されるように、デバイス１２２に送信されるＣＲＢＴサービスに、デバイス１２２について生成されたＡＤを組み込む。
【００３６】
各デバイスは、ＡＤ受信機１２８を備える。ＡＤ受信機１２８は、ＡＤサーバ１０２から受信される呼出サービスと混合されたＡＤを復号するように動作する。例えば、デバイス１２０は、発呼者ＩＤサービスと混合されたＡＤを受信し、デバイス１２２は、ＣＲＢＴサービスと混合されたＡＤを受信する。各デバイスのＡＤ受信機１２８は、デバイスのディスプレイまたはサウンドシステムを使用して、受信されたＡＤをレンダリングするように動作する。例えば、デバイス１２０のＡＤ受信機１２８は、発呼者ＩＤサービスと共に受信されたＡＤを、デバイスのディプレイ上にレンダリングする。デバイス１２２のＡＤ受信機１２８は、ＣＲＢＴサービスと共に受信されたＡＤを、デバイスのサウンドシステムを使用してレンダリングする。このように、各デバイスは、デバイス・ロケーション、コンテキスト、および／または時間に基づいてＡＤが割り当てられ、それらのＡＤは、ＡＤサーバ１０２によって提供される呼出サービスの一部として伝達される。
【００３７】
別の態様において、ＡＤは、オフピーク時間の間にデバイス１０６に伝達され、各デバイスの広告インボックス（advertisement inbox）に記憶される。呼出サービスを受信すると、ＡＤ受信機１２８は、その広告インボックスから、選択されたＡＤを獲得し、それらのＡＤをデバイス・ユーザに提示するように動作する。
【００３８】
別の態様において、ＡＤ受信機１２８は、デバイス・ユーザからＡＤサーバ１０２に送り返されるキープレス応答を受信することによって、デバイス・ユーザがＡＤとインタラクトできるように動作する。これらの応答は、デバイス・ユーザが、ＡＤの主題についてのさらなる情報を獲得すること、および、そのＡＤに関するあらゆる別機能を実行することを可能にする。例えば、デバイス・ユーザは、選択されたＡＤの受信および／または閲覧に同意することによって、サービス割引または拡張された通話時間が提供されうる。
【００３９】
よって、１つ以上の態様において、通信ネットワークで広告情報をデバイスに提供するように動作するＡＤミキサ・システムが提供される。ネットワーク１００が、単なる１つのインプリメンテーションであり、別のインプリメンテーションが、本態様の範囲内で起こりうることに注意されたい。
【００４０】
図２は、ＡＤミキサ・システムの態様を提供するように動作する例示的なＡＤサーバ２００を示す。例えば、ＡＤサーバ２００は、図１に示されるＡＤサーバ１０２としての使用に適している。ＡＤサーバ２００は、全てデータバス２０８に結合されるＡＤミキサ・モジュール２０２、ＡＤジェネレータ・モジュール２０４、および、トランシーバ・モジュール２０６を備える。ＡＤサーバ２００は、単なる１つのインプリメンテーションであり、別のインプリメンテーションが、本態様の範囲内で起こりうることに注意されたい。
【００４１】
トランシーバ・モジュール２０６は、ＡＤサーバ２００が、ネットワークを通してデータまたは別の情報を、リモートデバイスまたはシステムと通信することを可能にするように動作するハードウェアおよび／またはハードウェア実行ソフトウェアを備える。ある態様において、トランシーバ・モジュール２０６は、通信リンク２１２を介して、ネットワークと通信状態にあるデバイスからデバイス情報を受信するために動作可能である。ある態様において、デバイス情報は、位置インジケータ、モビリティ・インジケータ、ユーザ・プロフィール、および、あらゆる別のデバイス情報を備える。
【００４２】
ある態様において、トランシーバ・モジュール２０６は、サービス・リンク２１０を介して、ネットワークと通信状態にあるデバイスに呼出サービスを提供するために動作可能である。例えば、呼出サービスは、発呼者ＩＤ、ＣＢＲＴ、キャッチホン（call waiting）、保留、三者通話、および、あらゆる別のタイプの呼出サービスを備えるがそれに限定されない。例えば、音声通話の開始を求めるデバイス要求は、通信リンク２１０を通して受信されうる。通信リンク２１０は、さらに、着信をデバイスに知らせるために使用されうる。デバイス情報を獲得し、呼出サービスを提供するためのトランシーバ・モジュール２０６の動作が、より詳細に下に記述される。
【００４３】
１つ以上の態様において、ＡＤミキサ・モジュール２０２は、ＣＰＵ、プロセッサ、ゲートアレイ、ハードウェア論理、メモリエレメント、および／または、ハードウェア実行ソフトウェアのうちの少なくとも１つを備えうる。ある態様において、ＡＤミキサ・モジュール２０２は、呼出サービスを求める要求を受信するように動作する。例えば、ある態様において、呼出サービスを求める要求は、ＡＤサーバ２００の別のモジュールによって受信され、ＡＤミキサ・モジュール２０２に提供される。呼出サービスを求める要求は、そのサービスが提供される予定の１つ以上のデバイスを識別する。ＡＤミキサ・モジュール２０２は、デバイス識別情報をＡＤジェネレータ・モジュール２０４に送信するように動作する。ＡＤジェネレータ・モジュール２０４は、提供される呼出サービスと共にデバイスに提供されるべき１つ以上のＡＤを生成するように動作する。次に、生成されたＡＤは、ＡＤジェネレータ・モジュール２０４からＡＤミキサ・モジュール２０２に渡される。ＡＤミキサ・モジュール２０２は、呼出サービスとＡＤを混合するように動作し、関連デバイスに送信するために、この情報をトランシーバ・モジュール２０６に渡す。
【００４４】
ＡＤジェネレータ・モジュール２０４は、ＣＰＵ、プロセッサ、ゲートアレイ、ハードウェア論理、メモリエレメント、および／または、ハードウェア実行ソフトウェアのうちの少なくとも１つを備える。ＡＤジェネレータ・モジュール２０４は、呼出サービスと混合されるべきＡＤを受信するように動作する。例えば、ＡＤは、ＡＤサーバ２００の別のモジュール、ネットワーク通信事業者、または、コンテンツ・プロバイダから受信されうる。例えば、ＡＤは、イメージ、テキスト、オーディオ、ビデオ、アニメーション、または、あらゆる別タイプのＡＤコンテンツを備える。ＡＤジェネレータ・モジュール２０４は、ＡＤミキサ・モジュール２０２から、呼出サービスと関連付けられたデバイスの識別子を受信する。ＡＤジェネレータ・モジュール２０４は、さらに、トランシーバ・モジュール２０６からデバイス情報を受信する。ＡＤジェネレータ・モジュール２０４は、デバイス識別子およびデバイス情報を処理して、呼出サービスと共にデバイスに提供されるべきＡＤを選択する。ＡＤジェネレータ論理２０４の動作のさらに詳しい記述が下に提供される。
【００４５】
ある態様において、機械可読媒体に記憶または組み込まれたＡＤミキサ・システムは、１つ以上のプログラム命令群（「命令群」）または、「コード」のセットを有するコンピュータ・プログラム製品を備える。コードが、例えば、ＡＤミキサ・モジュール２０２のプロセッサのような少なくとも１つのプロセッサによって実行されると、それらの実行は、プロセッサに、本明細書に記述されるＡＤミキサ・システムの機能を提供させる。例えば、機械可読媒体は、フロッピー（登録商標）ディスク、ＣＤＲＯＭ、メモリカード、フラッシュメモリ・デバイス、ＲＡＭ、ＲＯＭ、または、任意の別タイプのメモリデバイス、または、ＡＤサーバ２００にインターフェースする機械可読媒体を備える。別の態様において、コードのセットは、外部のデバイスあるいは通信ネットワーク・リソースからＡＤサーバ２００にダウンロードされうる。コードのセットは、実行されると、本明細書に記述されたようなＡＤミキサ・システムの態様を提供するように動作する。
【００４６】
図３は、ＡＤミキサ・システムの態様で使用する、ＡＤを呼出サービスと混合するための、サーバで動作可能な例示的な方法３００を示す。明快さのために、方法３００は、図２に示されるＡＤサーバ２００に関して以下に記述される。ある態様において、ＡＤミキサ・モジュール２０２は、下に記述される機能を実行するために、１つ以上のコードのセットを実行して、ＡＤサーバ２００を制御する。
【００４７】
ブロック３０２において、１つ以上のデバイスに提供されるべき呼出サービスが検出される。ある態様において、ＡＤミキサ・モジュール２０２が、その呼出サービスを検出する。例えば、呼出サービスは、発呼、呼出通知、または、あらゆる別タイプの呼出サービスと関連付けられうる。加えて、呼出サービスは、２以上のデバイスと関連付けられうる。例えば、呼出サービスは、三者通話と関連付けられるため、３つのデバイスと関連付けられうる。ある態様において、ＡＤミキサ・モジュール２０２は、呼出サービスと関連付けられたデバイスを識別し、この情報を、ＡＤジェネレータ・モジュール２０４に渡す。
【００４８】
ブロック３０４において、１つ以上のＡＤが、呼出サービスと関連付けられた各デバイスに対して生成される。ある態様において、ＡＤジェネレータ・モジュール２０４が、これらのＡＤを生成する。例えば、呼出サービスが、発呼者ＩＤサービスの場合、ＡＤは、その呼出を受信する予定のデバイスに対して生成される。呼出サービスがＣＲＢＴサービスの場合、ＡＤは、呼出を開始し、ＣＲＢＴを受信する予定のデバイスに対して生成される。
【００４９】
ブロック３０６において、生成されたＡＤは、デバイスへの伝達のために、呼出サービスと混合される。ある態様において、ＡＤミキサ・モジュール２０２が、この機能を実行する。例えば、ＡＤミキサ・モジュール２０２は、ＡＤジェネレータ・モジュール２０４から、生成されたＡＤを受信し、これらのＡＤを、１つ以上のデバイスに提供されるべき呼出サービス情報と混合する。例えば、ＡＤは、着信を受けるデバイスに伝達される予定の発呼者ＩＤ情報と共に含まれるビデオ・ファイルのビデオ情報でありうる。別の態様において、ＡＤは、呼出を開始するデバイスに伝達されるべきＣＲＢＴ情報と共に含まれるオーディオ・ファイルのオーディオ情報でありうる。
【００５０】
ブロック３０８において、混合されたＡＤおよび呼出サービスは、各デバイスに伝達される。ある態様において、トランシーバ・モジュール２０６は、通信リンク２１０を使用して、混合されたＡＤと呼出サービスをデバイスに伝達するように動作する。
【００５１】
ブロック３１０において、ＡＤに応答したユーザ入力が受信される。例えば、通信デバイスでレンダリングされたＡＤに応答したユーザ入力は、サーバ２００に送信される。
【００５２】
ブロック３１２において、ユーザ入力に応答して、さらなるＡＤおよび／または呼出インセンティブ（call incentive）が提供される。例えば、サーバ２００は、さらなるＡＤを選択し、それらを、ユーザ入力に応答して、ユーザのデバイスに送信するように動作する。別の態様において、サーバ２００は、ユーザの入力に基づいて、通話時間の拡張、または、通話料金の減額のような１つ以上の呼出インセンティブを提供するように動作する。
【００５３】
よって、方法３００は、ＡＤミキサ・システムの態様で使用するために、ＡＤを生成し、それを呼出サービスと混合するように動作する。方法３００が、単なる１つのインプリメンテーションであり、方法３００の動作が、様々な態様の範囲内で、再配列されるか、そうでなければ、変更されうることに注意されたい。よって、別のインプリメンテーションが、本明細書で記述される様々な態様の範囲内で起こりうる。
【００５４】
図４は、ＡＤミキサ・システムの態様で使用する、ＡＤを生成するための例示的な方法４００を示す。例えば、方法４００は、方法３００のブロック３０４での使用に適している。明快さのために、方法４００は、図２に示されるＡＤサーバ２００に関して以下に記述される。ある態様において、ＡＤジェネレータ・モジュール２０４は、下に記述される機能を実行するために、１つ以上のコードのセットを実行して、ＡＤサーバ２００を制御する。
【００５５】
ブロック４０２において、利用可能なＡＤのデータベースが保持される。ある態様において、ＡＤジェネレータ・モジュール２０４が、利用可能なＡＤのデータベースを保持するように動作する。例えば、ＡＤジェネレータ・モジュール２０４は、ＡＤサーバ２００の別のモジュール（図示されない）から、ＡＤを獲得する。ＡＤは、様々なカテゴリに構成される。例えば、ＡＤは、ロケーション、コンテキスト、および／または時間に従って構成されうる。
【００５６】
ブロック４０４において、デバイス・プロフィールのデータベースが保持される。ある態様において、ＡＤジェネレータ・モジュール２０４が、デバイス・プロフィールのデータベースを保持するように動作する。例えば、デバイス・プロフィールは、通信ネットワークと通信状態にあるデバイスについての情報を備える。ある態様において、デバイス・プロフィールは、通話履歴、ホーム・ロケーション、または、あらゆる別のデバイス・プロフィール情報のような情報を備える。
【００５７】
ブロック４１２において、ＡＤは、オプション動作で、呼出サービスの前に、デバイスに送信される。例えば、ＡＤは、特定のデバイスに対して選択され、選択された呼出サービスを提供する前に、オフピーク時間の間に送信される。デバイスは、後の、選択された呼出サービスが受信される時に処理するために、広告インボックスに、受信されたＡＤを記憶する。
【００５８】
ブロック４０６において、１つ以上のデバイスに提供される予定の呼出サービスと混合されるべきＡＤを求める要求が受信される。ある態様において、ＡＤジェネレータ・モジュール２０４は、この要求を、ＡＤミキサ・モジュール２０２から受信する。要求は、提供されるべき呼出サービスと関連付けられたデバイスの識別情報を含む。
【００５９】
ブロック４０８において、デバイス情報が獲得される。ある態様において、ＡＤジェネレータ論理２０４が、トランシーバ・モジュール２０６から、デバイス情報を獲得する。デバイス情報は、デバイス・ロケーション、ユーザ・プロフィール、モビリティ・インジケータ、または、あらゆる別タイプのデバイス情報を備える。
【００６０】
ブロック４１０において、１つ以上のＡＤが、デバイス情報、ＡＤデータベース、および、デバイス・プロフィール・データベースに基づいて選択される。ある態様において、ＡＤジェネレータ論理２０４は、デバイス・ロケーション、コンテキスト、または時間に基づいてＡＤを選択するように動作する。例えば、ＡＤは、デバイスの現在のロケーションまたは現在の時刻（time of day）に基づいてＡＤデータベースから選択されうる。ＡＤは、さらに、コンテキストおよび／または時刻に基づいて選択されうる。ＡＤが生成されると、ＡＤジェネレータ・モジュール２０４は、ＡＤを、ＡＤミキサ・モジュール２０２に転送する。
【００６１】
このように、方法４００は、ＡＤミキサ・システムの態様で使用するために、ＡＤを生成するように動作する。方法４００は、単なる１つのインプリメンテーションであり、方法４００が、様々な態様の範囲内で再配列されるか、そうでなければ変更されうることに注意されたい。このように、別のインプリメンテーションが、本明細書に記述される様々な態様の範囲内で起こりうる。
【００６２】
図５は、ＡＤミキサ・システムの態様で使用する、ＡＤ混合を発呼側サービスに提供するための例示的な方法５００を示す。明快さのために、方法３００は、図２に示されるＡＤサーバ２００に関して下に記述される。ある態様において、ＡＤミキサ・モジュール２０２は、下に記述される機能を実行するために、１つ以上のコードのセットを実行して、ＡＤサーバ２００を制御する。
【００６３】
ブロック５０２において、ソース・デバイスと関連付けられた発呼側サービスについての必要性が検出される。例えば、発呼側サービスは、ソース・デバイスが、宛先デバイスへの呼出を開始すると、提供される。例えば、１つのタイプの発呼側サービスは、ＣＲＢＴである。ある態様において、発呼側サービスが、ソース・デバイスに必要とされていることを、ＡＤミキサ・モジュール２０２が検出する。
【００６４】
ブロック５０４において、１つ以上のＡＤが、ソース・デバイスに対して生成される。例えば、ＡＤジェネレータ・モジュール２０４は、上に記述された方法４００に従って、ＡＤを生成する。
【００６５】
ブロック５０６において、生成されたＡＤは、発呼側サービスと混合される。ある態様において、ＡＤミキサ・モジュール２０２は、生成されたＡＤを、発呼側サービスと混合する。
【００６６】
ブロック５０８において、ＡＤおよび発呼側サービスは、ソース・デバイスに伝達される。ある態様において、トランシーバ・モジュール２０６は、通信リンク２１０を通して、ＡＤおよび発呼側サービスを、ソース・デバイスに伝達する。
【００６７】
よって、方法５００は、ＡＤミキサ・システムの態様に使用するために、発呼側サービスにＡＤ混合を提供するように動作する。方法５００は、単なる１つのインプリメンテーションであり、方法５００の動作は、様々な態様の範囲内で再配列されるか、そうでなければ変更されうることに注意されたい。よって、別のインプリメンテーションが、本明細書に記述された様々な態様の範囲内で起こりうる。
【００６８】
図６は、ＡＤミキサ・システムの態様で使用する、着呼側サービスにＡＤ混合を提供するための例示的な方法６００を示す。明快さのために、方法６００は、図２に示されるＡＤサーバ２００に関して以下に記述される。ある態様において、ＡＤミキサ・モジュール２０２は、下に記述される機能を実行するために、１つ以上のコードのセットを実行し、ＡＤミキササーバ２００を制御する。
【００６９】
ブロック６０２において、宛先デバイスと関連付けられた着呼側サービスの必要性が検出される。例えば、着呼側サービスは、ソース・デバイスが、宛先デバイスへの呼出を開始すると、提供される。例えば、１つのタイプの着呼側サービスは、発呼者ＩＤである。ある態様において、着呼側サービスが宛先デバイスに対して必要とされていることを、ＡＤミキサ・モジュール２０２が検出する。
【００７０】
ブロック６０４において、１つ以上のＡＤが、宛先デバイスに対して生成される。例えば、ＡＤジェネレータ・モジュール２０４は、上に記述された方法４００に従って、ＡＤを生成する。
【００７１】
ブロック６０６において、生成されたＡＤは、着呼側サービスと混合される。ある態様において、ＡＤミキサ・モジュール２０２は、生成されたＡＤを、着呼側サービスと混合する。
【００７２】
ブロック６０８において、ＡＤおよび着呼側サービスは、宛先デバイスに伝達される。ある態様において、トランシーバ・モジュール２０６は、通信リンク２１０を通して、ＡＤおよび着呼側サービスを宛先デバイスに伝達する。
【００７３】
よって、方法６００は、ＡＤミキサ・システムの態様に使用するために、着呼側サービスにＡＤ混合を提供するように動作する。方法６００は、単なる１つのインプリメンテーションであり、方法６００の動作は、様々な態様の範囲内で再配列されるか、そうでなければ変更されうることに注意されたい。よって、別のインプリメンテーションが、本明細書に記述された様々な態様の範囲内で起こりうる。
【００７４】
図７は、ＡＤミキサ・システムの態様で使用する、例示的なＡＤ受信機７００を示す。例えば、ＡＤ受信機７００は、図１に示されるＡＤ受信機１２８としての使用に適している。ＡＤ受信機７００は、全てデータバス７１０に結合される処理モジュール７０２、ＡＤレンダリング・モジュール７０４、トランシーバ・モジュール７０６、ＡＤ記憶装置モジュール７０８を備える。ＡＤ受信機モジュール７００が、単なる１つのインプリメンテーションを表し、別のインプリメンテーションが、本態様の範囲内で起こりうることに注意されたい。
【００７５】
処理モジュール７０２は、ＣＰＵ、プロセッサ、ゲートアレイ、ハードウェア論理、メモリエレメント、および／または、ハードウェア実行ソフトウェアのうちの少なくとも１つを備える。このように、処理モジュール７０２は、一般的に、機械可読命令を実行するため、および、データバス７０８を介して、ＡＤ受信機７００の１つ以上の別の機能エレメントを制御するための論理を備える。
【００７６】
ＡＤ記憶装置モジュール７０８は、ＡＤを記憶することができる任意の適切な記憶装置を備える。ある態様において、ＡＤ記憶装置モジュール７０８は、呼出サービスと共に受信されたＡＤ、および、オフピーク送信で受信されたＡＤを記憶するために動作可能なＡＤインボックスを備える。処理モジュール７０２は、ＡＤインボックスから、１つ以上の呼出サービスと関連付けられるべきＡＤを検索するために動作可能である。
【００７７】
ＡＤレンダリング・モジュール７０４は、ＡＤ受信機７００が、ＡＤをデバイス・ユーザにレンダリングすることを可能にするハードウェアおよび／またはハードウェア実行ソフトウェアを備える。例えば、ＡＤは、ＡＤレンダリング・モジュール７０４が処理して、デバイス・ユーザにレンダリングするイメージ、テキスト、オーディオ、ビデオ、アニメーション、または、あらゆる別タイプのＡＤを備える。ＡＤは、デバイスのディスプレイ上に、および／または、デバイスのオーディオシステムを通してレンダリングされる。
【００７８】
トランシーバ・モジュール７０６は、ＡＤ受信機７００が、データ、ＡＤ、呼出サービス、および、任意の別情報を、外部のデバイスまたはシステムと送受信することを可能にするように動作するハードウェアおよび／またはハードウェア実行ソフトウェアを備える。例えば、トランシーバ・モジュール７０６は、通信リンク７１０を通してデバイス情報をネットワーク・サーバに送信するために動作可能である。ある態様において、ネットワーク・サーバは、図１に示されるＡＤサーバ１０２である。デバイス情報は、デバイス位置、通話履歴、ユーザ・プロフィール、モビリティ・インジケータ、または、あらゆる別タイプのデバイス情報を備える。別の態様において、トランシーバ・モジュール７０６は、通信リンク７１２を通して、ＡＤと混合された呼出サービスを受信するように動作可能である。
【００７９】
動作中に、ＡＤと混合された呼出サービスが、トランシーバ・モジュール７６０で受信される。呼出サービスは、発呼側サービスまたは着呼側サービスと関連付けられうる。呼出サービスは、処理モジュール７０２に渡される。処理モジュール７０２は、呼出サービスと混合されたＡＤを復号し、そのＡＤを、ＡＤレンダリング・モジュール７０４に提供するように動作する。ＡＤレンダリング・モジュール７０４は、そのＡＤをデバイス・ユーザにレンダリングするように動作する。
【００８０】
ある態様において、デバイス・ユーザは、ユーザ入力を処理モジュール７０２に提供することによって、ＡＤとインタラクトする。次に、ユーザ入力は、追加のＡＤおよび／または呼出インセンティブを提供するように動作するネットワークＡＤサーバに送信される。
【００８１】
別の態様において、ＡＤは、呼出サービスの前に受信され、ＡＤインボックスに記憶される。例えば、トランシーバ・モジュール７０６は、オフピーク送信でＡＤを受信し、ＡＤインボックスに記憶するために、そのＡＤを処理モジュール７０２に渡す。呼出サービスが受信されると、処理モジュール７０２は、ＡＤインボックスから、呼出サービスと関連付けられたＡＤを検索するように動作する。このように、ＡＤは、呼出サービスと混合されるか、あるいは、前もって受信され、後のレンダリング用にＡＤインボックスに記憶される。ＡＤ受信機７００の動作のより詳しい記述は、下に提供される。
【００８２】
ある態様において、ＡＤ混合システムは、機械可読媒体に記憶あるいは組み込まれた１つ以上のプログラム命令群（「命令群））または「コード」のセットを有するコンピュータ・プログラム製品を備える。例えば、処理モジュール７０２のプロセッサのような少なくとも１つのプロセッサによってコードが実行されると、それらの実行は、プロセッサに、本明細書に記述されるＡＤミキサ・システムの機能を提供させる。例えば、機械可読媒体は、フロッピー・ディスク、ＣＤＲＯＭ、メモリカード、フラッシュメモリ・デバイス、ＲＡＭ、ＲＯＭ、または、任意の別タイプのメモリデバイス、または、ＡＤサーバ７００にインターフェースする機械可読媒体を備える。別の態様において、コードのセットは、外部のデバイスあるいは通信ネットワーク・リソースからＡＤ受信機７００にダウンロードされうる。コードのセットは、実行されると、ＡＤ受信機７００に、本明細書に記述されたようなＡＤミキサ・システムの態様を提供させる。
【００８３】
図８は、ＡＤミキサ・システムの態様で使用する、ＡＤを受信するための例示的な方法８００を示す。明快さのために、方法８００は、図７に示されるＡＤ受信機７００に関して下に記述される。ある態様において、処理モジュール７０２は、下に記述される機能を実行するために、１つ以上のコードのセットを実行し、ＡＤ受信機７００を制御する。
【００８４】
ブロック８０２において、呼出サービスが受信される。ある態様において、トランシーバ・モジュール７０６は、呼出サービスを受信し、受信された情報を処理モジュール７０２に渡す。例えば、呼出サービスは、発呼者ＩＤサービスまたはＣＲＢＴサービスでありうる。
【００８５】
ブロック８０４において、呼出サービスと関連付けられたＡＤが獲得される。例えば、１つのインプリメンテーションにおいて、ＡＤは、呼出サービス情報から復号される。別のインプリメンテーションにおいて、ＡＤは、それが前に記憶されたＡＤインボックスから検索される。ある態様において、トランシーバ・モジュール７０６は、受信される呼出サービスを、処理モジュール７０２に渡し、処理モジュール７０２は、受信された呼出サービスと混合されたＡＤ、あるいは、ＡＤインボックスから検出されたＡＤのいずれかを獲得するように動作する。
【００８６】
ブロック８０６において、ＡＤは、オプションの動作で、後に処理するために記憶される。ある態様において、ＡＤが、呼出サービスと混合されると、処理モジュール７０２は、後のレンダリングのために、ＡＤをＡＤインボックスに記憶するように動作する。
【００８７】
ブロック８０８において、ＡＤはレンダリングされる。ある態様において、処理論理７０２は、ＡＤを、それがレンダリングされるＡＤレンダリング・モジュール７０４に渡す。例えば、ＡＤは、デバイスのディスプレイ上に表示されるか、あるいは、デバイスのオーディオシステムで再生されうる。
【００８８】
ブロック８１０において、ＡＤとのユーザインタラクションが検出される。ある態様において、ＡＤがレンダリングされると、デバイス・ユーザは、ＡＤとインタラクトするために、ユーザ入力を提供しうる。ユーザ入力は、デバイス・ユーザが、選択、条件への同意、または、別の機能の開始を行うことを可能にする。ある態様において、処理モジュール７０２は、ユーザ入力を受信および処理するように動作する。
【００８９】
ブロック８１２において、ユーザ入力が処理される。ある態様において、処理モジュール７０２は、ユーザ入力に応答して任意の機能を実行するように動作する。例えば、そのような機能は、ＡＤの条件への同意、別のパーティへのＡＤの送信、さらなるＡＤの閲覧への同意、または、任意の別の機能を含むがそれに限定されない。処理モジュール７０２は、ＡＤとのユーザインタラクションを可能にし、レンダリングされたコンテンツをさらに提供するために、ＡＤレンダリング・モジュール７０４と共に機能する。１つのインプリメンテーションにおいて、ユーザ入力は、上に記述されたように、さらなるＡＤおよび／または呼出インセンティブを獲得する目的のためにＡＤサーバに送信される。
【００９０】
よって、方法８００は、ＡＤミキサ・システムの態様において、ＡＤを受信するように動作する。方法８００は、単なる１つのインプリメンテーションであり、方法８００の動作は、様々な態様の範囲内で、再配列されるか、そうでなければ変更されうることに注意されたい。このように、別のインプリメンテーションが、本明細書に記述される様々な態様の範囲内で起こりうる。
【００９１】
［追加機能］
下記は、ＡＤミキサ・システムの態様によって提供される追加機能の記述である。次に記述される機能が例示的であること、および、ＡＤミキサ・システムが、実質的にあらゆるタイプのＡＤミキシング機能に結合、変更、または、提供するために動作可能であることに注意されたい。ある態様において、ＡＤミキサ・システムは、インタラクティブＡＤ（interactive AD）に応答し、ユーザ入力に基づいて、下記機能のうちの１つ以上を実行する。  
１．  新しい広告を要求すること、
２．  広告を転送すること、
３．  広告を削除すること、
４．  広告を記憶すること、
５．  呼出サービスを無視して、広告を受信すること、
６．  広告を無視して、呼出サービスを受信すること。
【００９２】
図９は、ＡＤミキサ・システムの態様で使用する、例示的なＡＤサーバ９００を示す。例えば、ＡＤサーバ９００は、図１に示されるＡＤサーバ１０２としての使用に適している。ある態様において、サーバ９００は、本明細書に記述されるような、ＡＤミキサ・システムの態様を提供するように構成された１つ以上のモジュールを備える少なくとも１つの集積回路によって実施される。例えば、ある態様において、各モジュールは、ハードウェアおよび／またはハードウェア実行ソフトウェアを備える。
【００９３】
ＡＤサーバ９００は、通信デバイスと関連付けられた広告を決定するための手段（９０２）を備える第１のモジュールを備え、それは、ある態様において、ＡＤジェネレータ２０４を備える。ＡＤサーバ９００は、さらに、広告を、通信デバイスに提供されるべき呼出サービスと混合するための手段（９０４）を備える第２のモジュールを備え、それは、ある態様において、ＡＤミキサ２０２を備える。ＡＤサーバ９００は、さらに、広告および呼出サービスを通信デバイスに送信するための手段（９０６）を備える第３のモジュールを備え、それは、ある態様において、トランシーバ２０６を備える。
【００９４】
図１０は、ＡＤミキサ・システムの態様で使用する、例示的なＡＤ受信機１０００を示す。例えば、ＡＤ受信機１０００は、図１に示されるＡＤ受信機１２８としての使用に適している。ある態様において、ＡＤ受信機１０００は、本明細書に記述されたようなＡＤミキサ・システムの態様を提供するように構成された１つ以上のモジュールを備える少なくとも１つの集積回路によって実施される。例えば、ある態様において、各モジュールは、ハードウェアおよび／またはハードウェア実行ソフトウェアを備える。
【００９５】
ＡＤ受信機１０００は、呼出サービスを受信するための手段（１００２）を備える第１のモジュールを備え、それは、ある態様において、トランシーバ・モジュール７０６を備えうる。ＡＤ受信機１０００は、さらに、呼出サービスと関連付けられた広告を獲得するための手段（１００４）を備える第２のモジュールを備え、それは、ある態様において、処理モジュール７０２を備えうる。ＡＤ受信機１０００は、さらに、広告を通信デバイスにレンダリングするための手段（１００６）を備える第３のモジュールを備え、それは、ある態様において、レンダリング・モジュール７０４を備えうる。
【００９６】
本明細書に開示された態様と関連して記述される様々な実例となる論理、論理ブロック、モジュール、回路は、汎用プロセッサ、デジタル信号プロセッサ（ＤＳＰ）、特定用途向けＩＣ（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、もしくは、本明細書に記述された機能を実行するよう設計されたこれらの任意の組み合わせと一緒に実行または実施される。汎用プロセッサはマイクロプロセッサであるが、代替で、プロセッサは任意の従来のプロセッサ、コントローラ、マイクロコントローラ、またはステートマシンでありうる。プロセッサは、さらに、例えば、ＤＳＰとマクロプロセッサ、複数のマイクロプロセッサ、ＤＳＰコアに結合した１つ以上のマイクロプロセッサ、その他の上記構成の組み合わせといった計算デバイスの組み合わせとしても実施されうる。
【００９７】
本明細書に開示された態様に関して示される方法またはアルゴリズムのステップは、直接的にハードウェアに、プロセッサによって実行されるソフトウェアモジュールに、またはそれら二つの組み合わせに組み込まれうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または本技術分野において周知の記憶媒体の他の形態に存在しうる。例示的な記憶媒体は、プロセッサが記憶媒体から情報を読み取り、記憶媒体に情報を書き込むことができるプロセッサに結合される。代替において、記憶媒体はプロセッサに一体化される。プロセッサと記憶媒体はＡＳＩＣに存在しうる。ＡＳＩＣは無線通信デバイスに存在しうる。代替において、プロセッサと記憶媒体は、個別コンポーネントとして、無線通信デバイスに存在しうる。
【００９８】
開示された態様の記述は、当業者が本発明を実施および使用することを可能にするために提供される。これらの実施形態に対する様々な変更は当業者には容易に明らかであり、本明細書において定義された包括的な原理は、本発明の精神または範囲を逸脱することなく、例えば、インスタント・メッセージング・サービスまたは任意の一般的な無線データ通信アプリケーションのような他の態様に適用可能である。このように、本発明は本明細書に記載の態様に制限されるものではなく、本明細書で開示される原理および新規な特徴と合致する最も広い範囲が与えられるべきである。「例示的」という用語は、「実例、事例、例証として提供される」を意味するために本明細書において排他的に使用される。「例示的」として本明細書に記述されている任意の態様は、必ずしも他の態様より有利または優先されるとして解釈されるわけではない。
【００９９】
従って、ＡＤミキサ・システムの態様が、本明細書に例示および記述されているが、これらの精神または基本的な性質から逸脱することなく、様々な変更が態様に対して行われることは認識されるであろう。ゆえに、本明細書における開示および記述は、次の特許請求の範囲に示される本発明の範囲を、限定するのではなく、例示することを企図している。
【図１】
2015156695.tif 000003
【図２】
2015156695.tif 000004
【図３】
2015156695.tif 000005
【図４】
2015156695.tif 000006
【図５】
2015156695.tif 000007
【図６】
2015156695.tif 000008
【図７】
2015156695.tif 000009
【図８】
2015156695.tif 000010
【図９】
2015156695.tif 000011
【図１０】
2015156695.tif 000012
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
通信ネットワークにおいて広告を提供するためにネットワーク・ノードによって動作可能な方法であって、  通信デバイスと関連付けられた広告を決定することと、  前記広告を、前記通信デバイスに提供されるべき呼出サービスと混合することと、  前記広告および前記呼出サービスを前記通信デバイスに送信することと  を備える方法。
【手続補正２】
【補正対象書類名】明細書
【補正対象項目名】００９９
【補正方法】変更
【補正の内容】
【００９９】  従って、ＡＤミキサ・システムの態様が、本明細書に例示および記述されているが、これらの精神または基本的な性質から逸脱することなく、様々な変更が態様に対して行われることは認識されるであろう。ゆえに、本明細書における開示および記述は、次の特許請求の範囲に示される本発明の範囲を、限定するのではなく、例示することを企図している。 なお、本願の出願当初の請求項と同一の記載を以下に付記する。［Ｃ１］通信ネットワークにおいて広告を提供するためにネットワーク・ノードによって動作可能な方法であって、 通信デバイスと関連付けられた広告を決定することと、 前記広告を、前記通信デバイスに提供されるべき呼出サービスと混合することと、 前記広告および前記呼出サービスを前記通信デバイスに送信することとを備える方法。［Ｃ２］前記呼出サービスは、発呼者ＩＤサービス、発呼者呼出音（ＣＲＢＴ）サービス、呼出転送サービス、呼出保留サービス、および、電話会議サービスのうちの少なくとも１つである、Ｃ１に記載の方法。［Ｃ３］前記広告は、静的広告およびインタラクティブ広告のうちの少なくとも１つである、Ｃ１に記載の方法。［Ｃ４］前記広告は、テキスト・ファイル、オーディオ・ファイル、アニメーション・ファイル、およびビデオ・ファイルのうちの少なくとも１つである、Ｃ１に記載の方法。［Ｃ５］前記決定することは、ホーム・ロケーション・レジスタおよび訪問ロケーション・レジスタのうちの少なくとも１つに基づいて前記広告を決定することを備える、Ｃ１に記載の方法。［Ｃ６］前記決定することは、前記通信デバイスと関連付けられたロケーション・インジケータに基づいて前記広告を決定することを備える、Ｃ１に記載の方法。［Ｃ７］前記決定することは、前記通信デバイスと関連付けられたユーザ・プロフィールに基づいて前記広告を決定することを備える、Ｃ１に記載の方法。［Ｃ８］前記決定することは、前記通信デバイスと関連付けられたデバイス・ロケーション、デバイス・コンテキスト、時刻のうちの少なくとも１つに基づいて前記広告を決定することを備える、Ｃ１に記載の方法。［Ｃ９］前記広告に応答したユーザ入力を受信することをさらに備える、Ｃ１に記載の方法。［Ｃ１０］前記ユーザ入力に基づいて、少なくとも１つの追加機能を実行することをさらに備え、 前記追加機能は、 新しい広告を提供することと、 前記広告を転送することと、 少なくとも１つの呼出インセンティブを提供することと を備えるセットから選択される、Ｃ９に記載の方法。［Ｃ１１］前記少なくとも１つの呼出インセンティブを提供することは、 前記呼出サービスと関連付けられた呼出の持続時間を拡張することと、 前記呼出のコストを減らすことと を備えるセットから、前記少なくとも１つの呼出インセンティブを選択することを備える、Ｃ１０に記載の方法。［Ｃ１２］通信ネットワークにおいて広告を提供するための装置であって： 通信デバイスと関連付けられた広告を決定するための手段と、 前記広告を、前記通信デバイスに提供されるべき前記呼出サービスと混合するための手段と、 前記広告および前記呼出サービスを前記通信デバイスに送信するための手段と を備える装置。［Ｃ１３］前記呼出サービスは、発呼者ＩＤサービス、ＣＲＢＴサービス、呼出転送サービス、呼出保留サービス、および、電話会議サービスのうちの少なくとも１つである、Ｃ１２に記載の装置。［Ｃ１４］前記広告は、静的広告およびインタラクティブ広告のうちの少なくとも１つである、Ｃ１２に記載の装置。［Ｃ１５］前記広告は、テキスト・ファイル、オーディオ・ファイル、アニメーション・ファイル、およびビデオ・ファイルのうちの少なくとも１つである、Ｃ１２に記載の装置。［Ｃ１６］前記決定するための手段は、ホーム・ロケーション・レジスタおよび訪問ロケーション・レジスタのうちの少なくとも１つに基づいて前記広告を決定するための手段を備える、Ｃ１２に記載の装置。［Ｃ１７］前記決定するための手段は、前記通信デバイスと関連付けられたロケーション・インジケータに基づいて前記広告を決定するための手段を備えるＣ１２に記載の装置。［Ｃ１８］前記決定するための手段は、前記通信デバイスと関連付けられたユーザ・プロフィールに基づいて前記広告を決定するための手段を備える、Ｃ１２に記載の装置。［Ｃ１９］前記決定するための手段は、前記通信デバイスと関連付けられたデバイス・ロケーション、デバイス・コンテキスト、時刻のうちの少なくとも１つに基づいて前記広告を決定するための手段を備える、Ｃ１２に記載の装置。［Ｃ２０］前記広告に応答したユーザ入力を受信するための手段をさらに備える、Ｃ１２に記載の装置。［Ｃ２１］前記ユーザ入力に基づいて、少なくとも１つの追加機能を実行するための手段をさらに備え、 前記追加機能は、 新しい広告を提供することと、 前記広告を転送することと、 少なくとも１つの呼出インセンティブを提供することと を備えるセットから選択される、Ｃ２０に記載の装置。［Ｃ２２］前記少なくとも１つの呼出インセンティブを提供することは、 前記呼出サービスと関連付けられた呼出の持続時間を拡張することと、 前記呼出のコストを減らすことと を備えるセットから、前記少なくとも１つの呼出インセンティブを選択することを備える、Ｃ２１に記載の装置。［Ｃ２３］通信ネットワークにおいて広告を提供するための装置であって： 通信デバイスと関連付けられた広告を決定するように構成されたジェネレータ・モジュールと、 前記広告を、前記通信デバイスに提供されるべき前記呼出サービスと混合するように構成されたミキサ・モジュールと、 前記広告および前記呼出サービスを前記通信デバイスに送信するように構成された送信機とを備える装置。［Ｃ２４］前記呼出サービスは、発呼者ＩＤサービス、ＣＲＢＴサービス、呼出転送サービス、呼出保留サービス、および、電話会議サービスのうちの少なくとも１つである、Ｃ２３に記載の装置。［Ｃ２５］前記広告は、静的広告およびインタラクティブ広告のうちの少なくとも１つである、Ｃ２３に記載の装置。［Ｃ２６］前記広告は、テキスト・ファイル、オーディオ・ファイル、アニメーション・ファイル、およびビデオ・ファイルのうちの少なくとも１つである、Ｃ２３に記載の装置。［Ｃ２７］前記ジェネレータ・モジュールは、ホーム・ロケーション・レジスタおよび訪問ロケーション・レジスタのうちの少なくとも１つに基づいて前記広告を決定するように構成���れる、Ｃ２３に記載の装置。［Ｃ２８］前記ジェネレータ・モジュールは、前記通信デバイスと関連付けられたロケーション・インジケータに基づいて前記広告を決定するように構成される、Ｃ２３に記載の装置。［Ｃ２９］前記ジェネレータ・モジュールは、前記通信デバイスと関連付けられたユーザ・プロフィールに基づいて前記広告を決定するように構成される、Ｃ２３に記載の装置。［Ｃ３０］前記ジェネレータ・モジュールは、前記通信デバイスと関連付けられたデバイス・ロケーション、デバイス・コンテキスト、時刻のうちの少なくとも１つに基づいて前記広告を決定するように構成される、Ｃ２３に記載の装置。［Ｃ３１］前記ミキサ・モジュールは、前記広告に応答したユーザ入力を受信するように構成されるＣ２３に記載の装置。［Ｃ３２］前記ミキサ・モジュールは、前記ユーザ入力に基づいて、少なくとも１つの追加機能を実行するように構成され、 前記追加機能は、 新しい広告を提供することと、 前記広告を転送することと、 少なくとも１つの呼出インセンティブを提供することと を備えるセットから選択される、Ｃ３１に記載の装置。［Ｃ３３］前記ミキサ・モジュールは、 前記呼出サービスと関連付けられた呼出の持続時間を拡張することと、 前記呼出のコストを減らすことと を備えるセットから、前記少なくとも１つの呼出インセンティブを選択するように構成される、Ｃ３２に記載の装置。［Ｃ３４］コンピュータ可読媒体を備える、通信ネットワークにおいて広告を提供するためのコンピュータ・プログラム製品であって、前記コンピュータ可読媒体は： 通信デバイスと関連付けられた広告を決定するために実行可能なコードと、 前記広告を、前記通信デバイスに提供されるべき前記呼出サービスと混合することを実行可能なコードと、 前記広告および前記呼出サービスを前記通信デバイスに送信するために実行可能なコードとを備える、コンピュータ・プログラム製品。［Ｃ３５］前記呼出サービスは、発呼者ＩＤサービス、ＣＲＢＴサービス、呼出転送サービス、呼出保留サービス、および、電話会議サービスのうちの少なくとも１つである、Ｃ３４に記載のコンピュータ・プログラム製品。［Ｃ３６］前記広告は、静的広告およびインタラクティブ広告のうちの少なくとも１つである、Ｃ３４に記載のコンピュータ・プログラム製品。［Ｃ３７］前記広告は、テキスト・ファイル、オーディオ・ファイル、アニメーション・ファイル、およびビデオ・ファイルのうちの少なくとも１つである、Ｃ３４に記載のコンピュータ・プログラム製品。［Ｃ３８］前記コードは、ホーム・ロケーション・レジスタおよび訪問ロケーション・レジスタのうちの少なくとも１つに基づいて前記広告を決定するように構成される、Ｃ３４に記載のコンピュータ・プログラム製品。［Ｃ３９］前記コードは、前記通信デバイスと関連付けられたロケーション・インジケータに基づいて前記広告を決定するように構成される、Ｃ３４に記載のコンピュータ・プログラム製品。［Ｃ４０］前記コードは、前記通信デバイスと関連付けられたユーザ・プロフィールに基づいて前記広告を決定するように構成される、Ｃ３４に記載のコンピュータ・プログラム製品。［Ｃ４１］前記コードは、前記通信デバ��スと関連付けられたデバイス・ロケーション、デバイス・コンテキスト、時刻のうちの少なくとも１つに基づいて前記広告を決定するように構成される、Ｃ３４に記載のコンピュータ・プログラム製品。［Ｃ４２］前記コードは、前記広告に応答したユーザ入力を受信するように構成される、Ｃ３４に記載のコンピュータ・プログラム製品。［Ｃ４３］前記コードは、前記ユーザ入力に基づいて、少なくとも１つの追加機能を実行するように構成され、 前記追加機能は、 新しい広告を提供することと、 前記広告を転送することと、 少なくとも１つの呼出インセンティブを提供することと を備えるセットから選択される、Ｃ４２に記載のコンピュータ・プログラム製品。［Ｃ４４］前記コードは、 前記呼出サービスと関連付けられた呼出の持続時間を拡張することと、 前記呼出のコストを減らすことと を備えるセットから、前記少なくとも１つの呼出インセンティブを選択するように構成され、Ｃ４３に記載のコンピュータ・プログラム製品。［Ｃ４５］通信ネットワークにおいて広告を提供するために通信デバイスによって動作可能な方法であって、 呼出サービスを受信することと、 前記呼出サービスと関連付けられた広告を獲得することと、 前記広告を前記通信デバイスにレンダリングすることと を備える方法。［Ｃ４６］前記獲得することは、 前記呼出サービスと混合された前記広告を受信することと、 前記呼出サービスから前記広告を獲得することと を備える、Ｃ４５に記載の方法。［Ｃ４７］前記獲得することは、 広告インボックスを保持することと、 １つ以上の広告を広告インボックスに記憶することと、 前記広告インボックス内の前記広告を、前記呼出サービスに基づいて識別することと、 前記広告を、前記広告インボックスから検索することと を備える、Ｃ４５に記載の方法。［Ｃ４８］前記呼出サービスは、発呼者ＩＤサービス、ＣＲＢＴサービス、呼出転送サービス、呼出保留サービス、および、電話会議サービスのうちの少なくとも１つである、Ｃ４５に記載の方法。［Ｃ４９］前記広告は、静的広告およびインタラクティブ広告のうちの少なくとも１つである、Ｃ４５に記載の方法。［Ｃ５０］前記広告は、テキスト・ファイル、オーディオ・ファイル、アニメーション・ファイル、およびビデオ・ファイルのうちの少なくとも１つである、Ｃ４５に記載の方法。［Ｃ５１］前記広告を選択するために使用されるべきデバイス・ロケーション情報を送信することをさらに備える、Ｃ４５に記載の方法。［Ｃ５２］前記広告に応答したユーザ入力を受信することをさらに備える、Ｃ４５に記載の方法。［Ｃ５３］前記ユーザ入力に基づいて少なくとも１つの追加機能を実行することをさらに備え、 前記追加機能は、 新しい広告を要求することと、 前記広告を転送することと、 前記広告を削除することと、 前記広告を記憶することと、 前記広告の条件に同意することと、 前記呼出サービスを無視して、前記広告を受信すること 前記広告を無視して、前記呼出サービスを受信すること を備えるセットから選択される、Ｃ５２に記載の方法。［Ｃ５４］前記ユーザ入力に基づいて少なくとも１つの呼出インセンティブを受信することをさらに備え、 前記少なくとも１つの呼出インセンティブは、 ���記呼出サービスと関連付けられた呼出の持続時間を拡張することと、 前記呼出のコストを減らすことと を備えるセットから選択される、Ｃ５２に記載の方法。［Ｃ５５］通信ネットワークにおいて広告を提供するための装置であって、 呼出サービスを受信するための手段と、 前記呼出サービスと関連付けられた広告を獲得するための手段と、 前記広告をレンダリングするための手段と を備える装置。［Ｃ５６］前記獲得するための手段は、 前記呼出サービスと混合された前記広告を受信するための手段と、 前記呼出サービスから前記広告を獲得するための手段と を備える、Ｃ５５に記載の装置。［Ｃ５７］前記獲得するための手段は、 広告インボックスを保持するための手段と、 １つ以上の広告を広告インボックスに記憶するための手段と、 前記広告インボックス内の前記広告を、前記呼出サービスに基づいて識別するための手段と、 前記広告を、前記広告インボックスから検索するための手段と を備える、Ｃ５５に記載の装置。［Ｃ５８］前記呼出サービスは、発呼者ＩＤサービス、ＣＲＢＴサービス、呼出転送サービス、呼出保留サービス、および、電話会議サービスのうちの少なくとも１つである、Ｃ５５に記載の装置。［Ｃ５９］前記広告は、静的広告およびインタラクティブ広告のうちの少なくとも１つである、Ｃ５５に記載の装置。［Ｃ６０］前記広告は、テキスト・ファイル、オーディオ・ファイル、アニメーション・ファイル、およびビデオ・ファイルのうちの少なくとも１つである、Ｃ５５に記載の装置。［Ｃ６１］前記広告を選択するために使用されるべきデバイス・ロケーション情報を送信するための手段をさらに備える、Ｃ５５に記載の装置。［Ｃ６２］前記広告に応答したユーザ入力を受信するための手段をさらに備える、Ｃ５５に記載の装置。［Ｃ６３］前記ユーザ入力に基づいて少なくとも１つの追加機能を実行するための手段をさらに備え、 前記追加機能は、 新しい広告を要求することと、 前記広告を転送することと、 前記広告を削除することと、 前記広告を記憶することと、 前記広告の条件に同意することと、 前記呼出サービスを無視して、前記広告を受信すること 前記広告を無視して、前記呼出サービスを受信すること を備えるセットから選択される、Ｃ６２に記載の装置。［Ｃ６４］前記ユーザ入力に基づいて少なくとも１つの呼出インセンティブを受信するための手段をさらに備え、 前記少なくとも１つの呼出インセンティブは、 呼出サービスと関連付けられた呼出の持続時間を拡張することと、 前記呼出のコストを減らすことと を備えるセットから選択される、Ｃ６２に記載の装置。［Ｃ６５］通信ネットワークにおいて広告を提供するための装置であって、 呼出サービスを受信するように構成された受信機と、 前記呼出サービスと関連付けられた広告を獲得するように構成された処理モジュールと、 前記広告をレンダリングするように構成されたレンダリング・モジュールと を備える装置。［Ｃ６６］前記処理モジュールは、 前記呼出サービスと混合された広告を受信し、 前記呼出サービスから前記広告を獲得する ように構成される、Ｃ６５に記載の装置。［Ｃ６７］前記処理モジュールは、 広告インボックスを保持することと、 １つ以上の広告を広告イン���ックスに記憶し、 前記広告インボックス内の前記広告を、前記呼出サービスに基づいて識別し、 前記広告を、前記広告インボックスから検索する ように構成される、Ｃ６５に記載の装置。［Ｃ６８］前記呼出サービスは、発呼者ＩＤサービス、ＣＲＢＴサービス、呼出転送サービス、呼出保留サービス、および、電話会議サービスのうちの少なくとも１つである、Ｃ６５に記載の装置。［Ｃ６９］前記広告は、静的広告およびインタラクティブ広告のうちの少なくとも１つである、Ｃ６５に記載の装置。［Ｃ７０］前記広告は、テキスト・ファイル、オーディオ・ファイル、アニメーション・ファイル、およびビデオ・ファイルのうちの少なくとも１つである、Ｃ６５に記載の装置。［Ｃ７１］前記広告を選択するために使用されるべきデバイス・ロケーション情報を送信するように構成された送信機をさらに備える、Ｃ６５に記載の装置。［Ｃ７２］前記処理モジュールは、前記広告に応答したユーザ入力を受信するように構成される、Ｃ６５に記載の装置。［Ｃ７３］前記処理モジュールは、前記ユーザ入力に基づいて少なくとも１つの追加機能を実行するように構成され、 前記追加機能は、 新しい広告を要求することと、 前記広告を転送することと、 前記広告を削除することと、 前記広告を記憶することと、 前記広告の条件に同意することと、 前記呼出サービスを無視して、前記広告を受信すること 前記広告を無視して、前記呼出サービスを受信すること を備えるセットから選択される、Ｃ７２に記載の装置。［Ｃ７４］前記処理モジュールは、前記ユーザ入力に基づいて少なくとも１つの呼出インセンティブを受信するように構成され、 前記少なくとも１つの呼出インセンティブは、 呼出サービスと関連付けられた呼出の持続時間を拡張することと、 前記呼出のコストを減らすことと を備えるセットから選択される、Ｃ７２に記載の装置。［Ｃ７５］コンピュータ可読媒体を備える、通信ネットワークにおいて広告を提供するためのコンピュータ・プログラム製品であって、前記コンピュータ可読媒体は： 呼出サービスを受信するために実行可能なコードと、 前記呼出サービスと関連付けられた広告を獲得するために実行可能なコードと、 前記広告をレンダリングするために実行可能なコードと を備える、コンピュータ・プログラム製品。［Ｃ７６］前記コードは、 前記呼出サービスと混合された前記広告を受信し、 前記呼出サービスから前記広告を獲得する ように構成される、Ｃ７５に記載のコンピュータ・プログラム製品。［Ｃ７７］前記コードは、 広告インボックスを保持し、 １つ以上の広告を広告インボックスに記憶し、 前記広告インボックス内の前記広告を、前記呼出サービスに基づいて識別し、 前記広告を、前記広告インボックスから検索する ように構成される、Ｃ７５に記載のコンピュータ・プログラム製品。［Ｃ７８］前記呼出サービスは、発呼者ＩＤサービス、ＣＲＢＴサービス、呼出転送サービス、呼出保留サービス、および、電話会議サービスのうちの少なくとも１つである、Ｃ７５に記載のコンピュータ・プログラム製品。［Ｃ７９］前記広告は、静的広告およびインタラクティブ広告のうちの少なくとも１つである、Ｃ７５に記載のコンピュータ・プログラム製品。［Ｃ８０］前記広告は、テキスト・ファイル、オーディオ・ファイル、アニメーション・ファイル、およびビデオ・ファイルのうちの少なくとも１つである、Ｃ７５に記載のコンピュータ・プログラム製品。［Ｃ８１］前記コードは、前記広告を選択するために使用されるべきデバイス・ロケーション情報を送信するように構成される、Ｃ７５に記載のコンピュータ・プログラム製品。［Ｃ８２］前記コードは、前記広告に応答したユーザ入力を受信するように構成される、Ｃ７５に記載のコンピュータ・プログラム製品。［Ｃ８３］前記コードは、前記ユーザ入力に基づいて少なくとも１つの追加機能を実行するように構成され、 前記追加機能は、 新しい広告を要求することと、 前記広告を転送することと、 前記広告を削除することと、 前記広告を記憶することと、 前記広告の条件に同意することと、 前記呼出サービスを無視して、前記広告を受信すること 前記広告を無視して、前記呼出サービスを受信すること を備えるセットから選択される、Ｃ８２に記載のコンピュータ・プログラム製品。［Ｃ８４］前記コードは、前記ユーザ入力に基づいて少なくとも１つの呼出インセンティブを受信するように構成され、 前記少なくとも１つの呼出インセンティブは、 呼出サービスと関連付けられた呼出の持続時間を拡張することと、 前記呼出のコストを減らすことと を備えるセットから選択される、Ｃ８２に記載のコンピュータ・プログラム製品。
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
通信ネットワークにおいて広告を提供するためにネットワーク・ノードによって動作可能な方法であって、
通信デバイスと関連付けられた広告を決定することと、
前記広告を、前記通信デバイスに提供されるべき呼出サービスと混合することと、
前記広告および前記呼出サービスを前記通信デバイスに送信することと
を備える方法。
【手続補正２】
【補正対象書類名】明細書
【補正対象項目名】００９９
【補正方法】変更
【補正の内容】
【００９９】
従って、ＡＤミキサ・システムの態様が、本明細書に例示および記述されているが、これらの精神または基本的な性質から逸脱することなく、様々な変更が態様に対して行われることは認識されるであろう。ゆえに、本明細書における開示および記述は、次の特許請求の範囲に示される本発明の範囲を、限定するのではなく、例示することを企図している。
なお、本願の出願当初の請求項と同一の記載を以下に付記する。
［Ｃ１］通信ネットワークにおいて広告を提供するためにネットワーク・ノードによって動作可能な方法であって、
通信デバイスと関連付けられた広告を決定することと、
前記広告を、前記通信デバイスに提供されるべき呼出サービスと混合することと、
前記広告および前記呼出サービスを前記通信デバイスに送信することとを備える方法。
［Ｃ２］前記呼出サービスは、発呼者ＩＤサービス、発呼者呼出音（ＣＲＢＴ）サービス、呼出転送サービス、呼出保留サービス、および、電話会議サービスのうちの少なくとも１つである、Ｃ１に記載の方法。
［Ｃ３］前記広告は、静的広告およびインタラクティブ広告のうちの少なくとも１つである、Ｃ１に記載の方法。
［Ｃ４］前記広告は、テキスト・ファイル、オーディオ・ファイル、アニメーション・ファイル、およびビデオ・ファイルのうちの少なくとも１つである、Ｃ１に記載の方法。
［Ｃ５］前記決定することは、ホーム・ロケーション・レジスタおよび訪問ロケーション・レジスタのうちの少なくとも１つに基づいて前記広告を決定することを備える、Ｃ１に記載の方法。
［Ｃ６］前記決定することは、前記通信デバイスと関連付けられたロケーション・インジケータに基づいて前記広告を決定することを備える、Ｃ１に記載の方法。
［Ｃ７］前記決定することは、前記通信デバイスと関連付けられたユーザ・プロフィールに基づいて前記広告を決定することを備える、Ｃ１に記載の方法。
［Ｃ８］前記決定することは、前記通信デバイスと関連付けられたデバイス・ロケーション、デバイス・コンテキスト、時刻のうちの少なくとも１つに基づいて前記広告を決定することを備える、Ｃ１に記載の方法。
［Ｃ９］前記広告に応答したユーザ入力を受信することをさらに備える、Ｃ１に記載の方法。
［Ｃ１０］前記ユーザ入力に基づいて、少なくとも１つの追加機能を実行することをさらに備え、 前記追加機能は、
新しい広告を提供することと、
前記広告を転送することと、
少なくとも１つの呼出インセンティブを提供することと
を備えるセットから選択される、Ｃ９に記載の方法。
［Ｃ１１］前記少なくとも１つの呼出インセンティブを提供することは、
前記呼出サービスと関連付けられた呼出の持続時間を拡張することと、
前記呼出のコストを減らすことと
を備えるセットから、前記少なくとも１つの呼出インセンティブを選択することを備える、Ｃ１０に記載の方法。
［Ｃ１２］通信ネットワークにおいて広告を提供するための装置であって：
通信デバイスと関連付けられた広告を決定するための手段と、
前記広告を、前記通信デバイスに提供されるべき前記呼出サービスと混合するための手段と、
前記広告および前記呼出サービスを前記通信デバイスに送信するための手段と
を備える装置。
［Ｃ１３］前記呼出サービスは、発呼者ＩＤサービス、ＣＲＢＴサービス、呼出転送サービス、呼出保留サービス、および、電話会議サービスのうちの少なくとも１つである、Ｃ１２に記載の装置。
［Ｃ１４］前記広告は、静的広告およびインタラクティブ広告のうちの少なくとも１つである、Ｃ１２に記載の装置。
［Ｃ１５］前記広告は、テキスト・ファイル、オーディオ・ファイル、アニメーション・ファイル、およびビデオ・ファイルのうちの少なくとも１つである、Ｃ１２に記載の装置。
［Ｃ１６］前記決定するための手段は、ホーム・ロケーション・レジスタおよび訪問ロケーション・レジスタのうちの少なくとも１つに基づいて前記広告を決定するための手段を備える、Ｃ１２に記載の装置。
［Ｃ１７］前記決定するための手段は、前記通信デバイスと関連付けられたロケーション・インジケータに基づいて前記広告を決定するための手段を備えるＣ１２に記載の装置。
［Ｃ１８］前記決定するための手段は、前記通信デバイスと関連付けられたユーザ・プロフィールに基づいて前記広告を決定するための手段を備える、Ｃ１２に記載の装置。
［Ｃ１９］前記決定するための手段は、前記通信デバイスと関連付けられたデバイス・ロケーション、デバイス・コンテキスト、時刻のうちの少なくとも１つに基づいて前記広告を決定するための手段を備える、Ｃ１２に記載の装置。
［Ｃ２０］前記広告に応答したユーザ入力を受信するための手段をさらに備える、Ｃ１２
に記載の装置。
［Ｃ２１］前記ユーザ入力に基づいて、少なくとも１つの追加機能を実行するための手段をさらに備え、
前記追加機能は、
新しい広告を提供することと、
前記広告を転送することと、
少なくとも１つの呼出インセンティブを提供することと
を備えるセットから選択される、Ｃ２０に記載の装置。
［Ｃ２２］前記少なくとも１つの呼出インセンティブを提供することは、
前記呼出サービスと関連付けられた呼出の持続時間を拡張することと、
前記呼出のコストを減らすことと
を備えるセットから、前記少なくとも１つの呼出インセンティブを選択することを備える、Ｃ２１に記載の装置。
［Ｃ２３］通信ネットワークにおいて広告を提供するための装置であって：
通信デバイスと関連付けられた広告を決定するように構成されたジェネレータ・モジュールと、
前記広告を、前記通信デバイスに提供されるべき前記呼出サービスと混合するように構成されたミキサ・モジュールと、
前記広告および前記呼出サービスを前記通信デバイスに送信するように構成された送信機とを備える装置。
［Ｃ２４］前記呼出サービスは、発呼者ＩＤサービス、ＣＲＢＴサービス、呼出転送サービス、呼出保留サービス、および、電話会議サービスのうちの少なくとも１つである、Ｃ２３に記載の装置。
［Ｃ２５］前記広告は、静的広告およびインタラクティブ広告のうちの少なくとも１つである、Ｃ２３に記載の装置。
［Ｃ２６］前記広告は、テキスト・ファイル、オーディオ・ファイル、アニメーション・ファイル、およびビデオ・ファイルのうちの少なくとも１つである、Ｃ２３に記載の装置
。
［Ｃ２７］前記ジェネレータ・モジュールは、ホーム・ロケーション・レジスタおよび訪問ロケーション・レジスタのうちの少なくとも１つに基づいて前記広告を決定するように構成される、Ｃ２３に記載の装置。
［Ｃ２８］前記ジェネレータ・モジュールは、前記通信デバイスと関連付けられたロケーション・インジケータに基づいて前記広告を決定するように構成される、Ｃ２３に記載の装置。
［Ｃ２９］前記ジェネレータ・モジュールは、前記通信デバイスと関連付けられたユーザ・プロフィールに基づいて前記広告を決定するように構成される、Ｃ２３に記載の装置。
［Ｃ３０］前記ジェネレータ・モジュールは、前記通信デバイスと関連付けられたデバイス・ロケーション、デバイス・コンテキスト、時刻のうちの少なくとも１つに基づいて前記広告を決定するように構成される、Ｃ２３に記載の装置。
［Ｃ３１］前記ミキサ・モジュールは、前記広告に応答したユーザ入力を受信するように構成されるＣ２３に記載の装置。
［Ｃ３２］前記ミキサ・モジュールは、前記ユーザ入力に基づいて、少なくとも１つの追加機能を実行するように構成され、
前記追加機能は、
新しい広告を提供することと、
前記広告を転送することと、
少なくとも１つの呼出インセンティブを提供することと
を備えるセットから選択される、Ｃ３１に記載の装置。
［Ｃ３３］前記ミキサ・モジュールは、
前記呼出サービスと関連付けられた呼出の持続時間を拡張することと、
前記呼出のコストを減らすことと
を備えるセットから、前記少なくとも１つの呼出インセンティブを選択するように構成される、Ｃ３２に記載の装置。
［Ｃ３４］コンピュータ可読媒体を備える、通信ネットワークにおいて広告を提供するためのコンピュータ・プログラム製品であって、前記コンピュータ可読媒体は：
通信デバイスと関連付けられた広告を決定するために実行可能なコードと、
前記広告を、前記通信デバイスに提供されるべき前記呼出サービスと混合することを実行可能なコードと、
前記広告および前記呼出サービスを前記通信デバイスに送信するために実行可能なコードとを備える、コンピュータ・プログラム製品。
［Ｃ３５］前記呼出サービスは、発呼者ＩＤサービス、ＣＲＢＴサービス、呼出転送サービス、呼出保留サービス、および、電話会議サービスのうちの少なくとも１つである、Ｃ３４に記載のコンピュータ・プログラム製品。
［Ｃ３６］前記広告は、静的広告およびインタラクティブ広告のうちの少なくとも１つである、Ｃ３４に記載のコンピュータ・プログラム製品。
［Ｃ３７］前記広告は、テキスト・ファイル、オーディオ・ファイル、アニメーション・ファイル、およびビデオ・ファイルのうちの少なくとも１つである、Ｃ３４に記載のコンピュータ・プログラム製品。
［Ｃ３８］前記コードは、ホーム・ロケーション・レジスタおよび訪問ロケーション・レジスタのうちの少なくとも１つに基づいて前記広告を決定するように構成される、Ｃ３４に記載のコンピュータ・プログラム製品。
［Ｃ３９］前記コードは、前記通信デバイスと関連付けられたロケーション・インジケータに基づいて前記広告を決定するように構成される、Ｃ３４に記載のコンピュータ・プログラム製品。
［Ｃ４０］前記コードは、前記通信デバイスと関連付けられたユーザ・プロフィールに基づいて前記広告を決定するように構成される、Ｃ３４に記載のコンピュータ・プログラム製品。
［Ｃ４１］前記コードは、前記通信デバイスと関連付けられたデバイス・ロケーション、デバイス・コンテキスト、時刻のうちの少なくとも１つに基づいて前記広告を決定するように構成される、Ｃ３４に記載のコンピュータ・プログラム製品。
［Ｃ４２］前記コードは、前記広告に応答したユーザ入力を受信するように構成される、Ｃ３４に記載のコンピュータ・プログラム製品。
［Ｃ４３］前記コードは、前記ユーザ入力に基づいて、少なくとも１つの追加機能を実行するように構成され、
前記追加機能は、
新しい広告を提供することと、
前記広告を転送することと、
少なくとも１つの呼出インセンティブを提供することと
を備えるセットから選択される、Ｃ４２に記載のコンピュータ・プログラム製品。
［Ｃ４４］前記コードは、
前記呼出サービスと関連付けられた呼出の持続時間を拡張することと、
前記呼出のコストを減らすことと
を備えるセットから、前記少なくとも１つの呼出インセンティブを選択するように構成され、Ｃ４３に記載のコンピュータ・プログラム製品。
［Ｃ４５］通信ネットワークにおいて広告を提供するために通信デバイスによって動作可能な方法であって、
呼出サービスを受信することと、
前記呼出サービスと関連付けられた広告を獲得することと、
前記広告を前記通信デバイスにレンダリングすることと
を備える方法。
［Ｃ４６］前記獲得することは、
前記呼出サービスと混合された前記広告を受信することと、
前記呼出サービスから前記広告を獲得することと
を備える、Ｃ４５に記載の方法。
［Ｃ４７］前記獲得することは、
広告インボックスを保持することと、
１つ以上の広告を広告インボックスに記憶することと、
前記広告インボックス内の前記広告を、前記呼出サービスに基づいて識別することと、
前記広告を、前記広告インボックスから検索することと
を備える、Ｃ４５に記載の方法。
［Ｃ４８］前記呼出サービスは、発呼者ＩＤサービス、ＣＲＢＴサービス、呼出転送サービス、呼出保留サービス、および、電話会議サービスのうちの少なくとも１つである、Ｃ４５に記載の方法。
［Ｃ４９］前記広告は、静的広告およびインタラクティブ広告のうちの少なくとも１つである、Ｃ４５に記載の方法。
［Ｃ５０］前記広告は、テキスト・ファイル、オーディオ・ファイル、アニメーション・ファイル、およびビデオ・ファイルのうちの少なくとも１つである、Ｃ４５に記載の方法。
［Ｃ５１］前記広告を選択するために使用されるべきデバイス・ロケーション情報を送信することをさらに備える、Ｃ４５に記載の方法。
［Ｃ５２］前記広告に応答したユーザ入力を受信することをさらに備える、Ｃ４５に記載の方法。
［Ｃ５３］前記ユーザ入力に基づいて少なくとも１つの追加機能を実行することをさらに備え、 前記追加機能は、
新しい広告を要求することと、
前記広告を転送することと、
前記広告を削除することと、
前記広告を記憶することと、
前記広告の条件に同意することと、
前記呼出サービスを無視して、前記広告を受信すること
前記広告を無視して、前記呼出サービスを受信すること
を備えるセットから選択される、Ｃ５２に記載の方法。
［Ｃ５４］前記ユーザ入力に基づいて少なくとも１つの呼出インセンティブを受信することをさらに備え、
前記少なくとも１つの呼出インセンティブは、
前記呼出サービスと関連付けられた呼出の持続時間を拡張することと、
前記呼出のコストを減らすことと
を備えるセットから選択される、Ｃ５２に記載の方法。
［Ｃ５５］通信ネットワークにおいて広告を提供するための装置であって、
呼出サービスを受信するための手段と、
前記呼出サービスと関連付けられた広告を獲得するための手段と、
前記広告をレンダリングするための手段と
を備える装置。
［Ｃ５６］前記獲得するための手段は、
前記呼出サービスと混合された前記広告を受信するための手段と、
前記呼出サービスから前記広告を獲得するための手段と
を備える、Ｃ５５に記載の装置。
［Ｃ５７］前記獲得するための手段は、
広告インボックスを保持するための手段と、
１つ以上の広告を広告インボックスに記憶するための手段と、
前記広告インボックス内の前記広告を、前記呼出サービスに基づいて識別するための手段と、
前記広告を、前記広告インボックスから検索するための手段と
を備える、Ｃ５５に記載の装置。
［Ｃ５８］前記呼出サービスは、発呼者ＩＤサービス、ＣＲＢＴサービス、呼出転送サービス、呼出保留サービス、および、電話会議サービスのうちの少なくとも１つである、Ｃ５５に記載の装置。
［Ｃ５９］前記広告は、静的広告およびインタラクティブ広告のうちの少なくとも１つである、Ｃ５５に記載の装置。
［Ｃ６０］前記広告は、テキスト・ファイル、オーディオ・ファイル、アニメーション・ファイル、およびビデオ・ファイルのうちの少なくとも１つである、Ｃ５５に記載の装置。
［Ｃ６１］前記広告を選択するために使用されるべきデバイス・ロケーション情報を送信するための手段をさらに備える、Ｃ５５に記載の装置。
［Ｃ６２］前記広告に応答したユーザ入力を受信するための手段をさらに備える、Ｃ５５に記載の装置。
［Ｃ６３］前記ユーザ入力に基づいて少なくとも１つの追加機能を実行するための手段をさらに備え、
前記追加機能は、
新しい広告を要求することと、
前記広告を転送することと、
前記広告を削除することと、
前記広告を記憶することと、
前記広告の条件に同意することと、
前記呼出サービスを無視して、前記広告を受信すること
前記広告を無視して、前記呼出サービスを受信すること
を備えるセットから選択される、Ｃ６２に記載の装置。
［Ｃ６４］前記ユーザ入力に基づいて少なくとも１つの呼出インセンティブを受信するための手段をさらに備え、
前記少なくとも１つの呼出インセンティブは、
呼出サービスと関連付けられた呼出の持続時間を拡張することと、
前記呼出のコストを減らすことと
を備えるセットから選択される、Ｃ６２に記載の装置。
［Ｃ６５］通信ネットワークにおいて広告を提供するための装置であって、
呼出サービスを受信するように構成された受信機と、
前記呼出サービスと関連付けられた広告を獲得するように構成された処理モジュールと、
前記広告をレンダリングするように構成されたレンダリング・モジュールと
を備える装置。
［Ｃ６６］前記処理モジュールは、
前記呼出サービスと混合された広告を受信し、
前記呼出サービスから前記広告を獲得する
ように構成される、Ｃ６５に記載の装置。
［Ｃ６７］前記処理モジュールは、
広告インボックスを保持することと、
１つ以上の広告を広告インボックスに記憶し、
前記広告インボックス内の前記広告を、前記呼出サービスに基づいて識別し、
前記広告を、前記広告インボックスから検索する
ように構成される、Ｃ６５に記載の装置。
［Ｃ６８］前記呼出サービスは、発呼者ＩＤサービス、ＣＲＢＴサービス、呼出転送サービス、呼出保留サービス、および、電話会議サービスのうちの少なくとも１つである、Ｃ６５に記載の装置。
［Ｃ６９］前記広告は、静的広告およびインタラクティブ広告のうちの少なくとも１つである、Ｃ６５に記載の装置。
［Ｃ７０］前記広告は、テキスト・ファイル、オーディオ・ファイル、アニメーション・ファイル、およびビデオ・ファイルのうちの少なくとも１つである、Ｃ６５に記載の装置。
［Ｃ７１］前記広告を選択するために使用されるべきデバイス・ロケーション情報を送信するように構成された送信機をさらに備える、Ｃ６５に記載の装置。
［Ｃ７２］前記処理モジュールは、前記広告に応答したユーザ入力を受信するように構成される、Ｃ６５に記載の装置。
［Ｃ７３］前記処理モジュールは、前記ユーザ入力に基づいて少なくとも１つの追加機能を実行するように構成され、
前記追加機能は、
新しい広告を要求することと、
前記広告を転送することと、
前記広告を削除することと、
前記広告を記憶することと、
前記広告の条件に同意することと、
前記呼出サービスを無視して、前記広告を受信すること
前記広告を無視して、前記呼出サービスを受信すること
を備えるセットから選択される、Ｃ７２に記載の装置。
［Ｃ７４］前記処理モジュールは、前記ユーザ入力に基づいて少なくとも１つの呼出インセンティブを受信するように構成され、
前記少なくとも１つの呼出インセンティブは、
呼出サービスと関連付けられた呼出の持続時間を拡張することと、
前記呼出のコストを減らすことと
を備えるセットから選択される、Ｃ７２に記載の装置。
［Ｃ７５］コンピュータ可読媒体を備える、通信ネットワークにおいて広告を提供するためのコンピュータ・プログラム製品であって、前記コンピュータ可読媒体は：
呼出サービスを受信するために実行可能なコードと、
前記呼出サービスと関連付けられた広告を獲得するために実行可能なコードと、
前記広告をレンダリングするために実行可能なコードと
を備える、コンピュータ・プログラム製品。
［Ｃ７６］前記コードは、
前記呼出サービスと混合された前記広告を受信し、
前記呼出サービスから前記広告を獲得する
ように構成される、Ｃ７５に記載のコンピュータ・プログラム製品。
［Ｃ７７］前記コードは、
広告インボックスを保持し、
１つ以上の広告を広告インボックスに記憶し、
前記広告インボックス内の前記広告を、前記呼出サービスに基づいて識別し、
前記広告を、前記広告インボックスから検索する
ように構成される、Ｃ７５に記載のコンピュータ・プログラム製品。
［Ｃ７８］前記呼出サービスは、発呼者ＩＤサービス、ＣＲＢＴサービス、呼出転送サービス、呼出保留サービス、および、電話会議サービスのうちの少なくとも１つである、Ｃ７５に記載のコンピュータ・プログラム製品。
［Ｃ７９］前記広告は、静的広告およびインタラクティブ広告のうちの少なくとも１つである、Ｃ７５に記載のコンピュータ・プログラム製品。
［Ｃ８０］前記広告は、テキスト・ファイル、オーディオ・ファイル、アニメーション・ファイル、およびビデオ・ファイルのうちの少なくとも１つである、Ｃ７５に記載のコンピュータ・プログラム製品。
［Ｃ８１］前記コードは、前記広告を選択するために使用されるべきデバイス・ロケーション情報を送信するように構成される、Ｃ７５に記載のコンピュータ・プログラム製品。
［Ｃ８２］前記コードは、前記広告に応答したユーザ入力を受信するように構成される、Ｃ７５に記載のコンピュータ・プログラム製品。
［Ｃ８３］前記コードは、前記ユーザ入力に基づいて少なくとも１つの追加機能を実行するように構成され、
前記追加機能は、
新しい広告を要求することと、
前記広告を転送することと、
前記広告を削除することと、
前記広告を記憶することと、
前記広告の条件に同意することと、
前記呼出サービスを無視して、前記広告を受信すること
前記広告を無視して、前記呼出サービスを受信すること
を備えるセットから選択される、Ｃ８２に記載のコンピュータ・プログラム製品。
［Ｃ８４］前記コードは、前記ユーザ入力に基づいて少なくとも１つの呼出インセンティブを受信するように構成され、
前記少なくとも１つの呼出インセンティブは、
呼出サービスと関連付けられた呼出の持続時間を拡張することと、
前記呼出のコストを減らすことと
を備えるセットから選択される、Ｃ８２に記載のコンピュータ・プログラム製品。
【外国語明細書】
2015156695000001.pdf